(57)【要約】  ユーザ機器（ＵＥ）が、受信されたダウンリンク制御情報（ＤＣＩ）に基づいて、送信電力制御（ＴＰＣ）コマンドを適用し、アップリンク情報を送信し得る。ＵＥは、アップリンク送信のための複数のＴＰＣコマンドを含む複数のＤＣＩメッセージを受信し得る。アップリンク送信のための電力レベルは、ＴＰＣコマンドの組合せに基づいて調整され得る。例えば、ＴＰＣコマンドがあわせて考慮され得る（例えば、加算される、平均化されるなど）、最新のＴＰＣコマンドが使用され得る、など。いくつかのケースでは、（例えば、他のＤＣＩを介して示されたアップリンク送信のための前のＴＰＣコマンドからの）アップリンク送信のためのＴＰＣコマンドの変更は、アップリンク送信のための１つまたは複数の送信属性における変更を示し得る。いくつかのケースでは、ＵＥは、前の送信の間欠送信（ＤＴＸ）をもたらす、優先送信のための許可を受信し得、これは、ＵＥによるＴＰＣ修正をもたらし得る。【選択図】図５
2021511739.tif 000002
【特許請求の範囲】
【請求項１】
ユーザ機器（ＵＥ）におけるワイヤレス通信のための方法であって、
基地局から、アップリンク送信のための複数の送信電力制御（ＴＰＣ）コマンドを含む複数のダウンリンク制御情報（ＤＣＩ）メッセージを受信することと、
前記複数のＴＰＣコマンドの組合せに少なくとも部分的に基づいて、前記アップリンク送信のための電力調整値を決定することと、
前記決定された電力調整値に少なくとも部分的に基づいて、送信電力レベルを調整することと、
前記調整された送信電力レベルで、前記基地局に前記アップリンク送信を送信することと
を備える方法。
【請求項２】
前記複数のＴＰＣコマンドの前記組合せに少なくとも部分的に基づいて、前記アップリンク送信のための前記電力調整値を決定することは、
前記複数のＴＰＣコマンドから複数のＴＰＣ値を識別することと、
前記電力調整値を決定するために、前記複数のＴＰＣ値を合計することと
を備える、請求項１に記載の方法。
【請求項３】
前記複数のＴＰＣコマンドの数に少なくとも部分的に基づいて、前記複数のＴＰＣ値をスケーリングすること、ここにおいて、前記複数のＴＰＣ値を合計することは、前記スケーリングされた複数のＴＰＣ値を合計することを含む、
をさらに備える、請求項２に記載の方法。
【請求項４】
前記複数のＴＰＣコマンドの前記組合せに少なくとも部分的に基づいて、前記アップリンク送信のための前記電力調整値を決定することは、
前記複数のＴＰＣコマンドのうちの最も直近に受信されたＴＰＣコマンドを識別することと、
前記最も直近に受信されたＴＰＣコマンドに少なくとも部分的に基づいて、前記アップリンク送信のための前記電力調整値を決定することと
を備える、請求項１に記載の方法。
【請求項５】
前記アップリンク送信の少なくとも１つの属性における変更を識別することと、
前記識別された変更に少なくとも部分的に基づく前記複数のＴＰＣコマンドの前記組合せに少なくとも部分的に基づいて、前記アップリンク送信のための前記電力調整値を決定することと
をさらに備える、請求項１に記載の方法。
【請求項６】
前記複数のＤＣＩメッセージのうちの１つまたは複数の中で、少なくとも１つの属性の値を受信すること、ここにおいて、前記アップリンク送信の少なくとも１つの属性における前記変更が、前記少なくとも１つの属性の前記受信された値に少なくとも部分的に基づいて識別される、
をさらに備える、請求項５に記載の方法。
【請求項７】
前記アップリンク送信の前記少なくとも１つの属性は、ＵＣＩペイロードサイズ、または物理アップリンク制御チャネル（ＰＵＣＣＨ）リソース割当て、またはＰＵＣＣＨフォーマット、またはＰＵＣＣＨリソースプール、またはこれらの組合せを備える、請求項５に記載の方法。
【請求項８】
前記アップリンク送信は、アップリンク制御情報（ＵＣＩ）であり、前記方法は、
前記少なくとも１つの属性における前記変更を識別する前に、前記ＵＣＩのための第２の複数のＴＰＣコマンドに少なくとも部分的に基づいて、前記ＵＣＩのための前記電力調整値を決定すること、前記複数のＴＰＣコマンドは、単一のＵＣＩに関連付けられたＴＰＣコマンドのための共通のＴＰＣ値を有するように制限される、
をさらに備える、請求項５に記載の方法。
【請求項９】
前記アップリンク送信は、アップリンク制御情報（ＵＣＩ）であり、前記ＵＣＩのための前記複数のＤＣＩメッセージを受信することは、
アップリンクデータチャネルのためのＴＰＣコマンドを含む少なくとも１つのＤＣＩメッセージを受信すること、前記ＵＣＩのための前記電力調整値は、前記アップリンクデータチャネルのための前記ＴＰＣコマンドに少なくとも部分的に基づいて決定される、
をさらに備える、請求項１に記載の方法。
【請求項１０】
アップリンクデータチャネルのための第１のＴＰＣコマンドと、制御チャネル上のアップリンク制御情報（ＵＣＩ）のための第２のＴＰＣコマンドとを含むＤＣＩメッセージを受信すること、ここにおいて、前記アップリンク送信は、前記ＵＣＩを備える、
をさらに備える、請求項１に記載の方法。
【請求項１１】
アップリンクデータチャネルのためのＴＰＣコマンドを含むＤＣＩメッセージを受信することと、
前記アップリンクデータチャネルのための前記ＴＰＣコマンドに少なくとも部分的に基づいて、アップリンク制御情報（ＵＣＩ）のための前記複数のＴＰＣコマンドのうちの１つまたは複数のＴＰＣコマンドを無視することと、ここにおいて、前記１つまたは複数のＴＰＣコマンドは、アップリンク制御チャネルのためのものであり、ここにおいて、前記アップリンク送信は、前記ＵＣＩを備える、
をさらに備える、請求項１に記載の方法。
【請求項１２】
前記アップリンク送信は、アップリンク制御チャネル上の確認応答、またはアップリンクデータチャネル上の確認応答、またはアップリンクデータ送信を備える、請求項１に記載の方法。
【請求項１３】
基地局におけるワイヤレス通信のための方法であって、
前記基地局によって、ユーザ機器（ＵＥ）によって送信されるべきアップリンク送信の送信電力レベルを調整するための電力調整値を識別することと、
前記識別された電力調整値に少なくとも部分的に基づいて、前記アップリンク送信のための複数の送信電力制御（ＴＰＣ）コマンドを決定することと、前記複数のＴＰＣコマンドの組合せが、前記アップリンク送信のための前記送信電力を調整する前記電力調整値を示すためのものであり、
前記ＵＥに、前記決定された複数のＴＰＣコマンドを含む複数のダウンリンク制御情報（ＤＣＩ）メッセージを送信することと
を備える方法。
【請求項１４】
前記電力調整値は、前記複数のＴＰＣコマンドのための複数のＴＰＣ値の合計である、請求項１３に記載の方法。
【請求項１５】
前記複数のＴＰＣコマンドを決定することは、
前記ＵＥが、前記電力調整値として、前記複数のＴＰＣコマンドのうちの第１のＴＰＣコマンドを使用すべきであることを識別することと、
前記識別に少なくとも部分的に基づいて、前記識別された第１のＴＰＣコマンドについての前記ＴＰＣ値になるように前記電力調整値を割り当てることと
をさらに備える、請求項１３に記載の方法。
【請求項１６】
前記複数のＤＣＩメッセージは、アップリンク制御情報（ＵＣＩ）のための少なくとも１つの属性の値における変更を示し、前記複数のＴＰＣコマンドを決定することは、前記少なくとも１つの属性の前記値における前記変更に少なくとも部分的に基づく、請求項１３に記載の方法。
【請求項１７】
前記アップリンク送信の前記少なくとも１つの属性は、ＵＣＩペイロードサイズ、または物理アップリンク制御チャネル（ＰＵＣＣＨ）リソース割当て、またはＰＵＣＣＨフォーマット、またはＰＵＣＣＨリソースプール、またはこれらの組合せを備える、請求項１６に記載の方法。
【請求項１８】
前記ＵＥに、前記決定された複数のＤＣＩメッセージを送信することは、
アップリンクデータチャネルのためのＴＰＣコマンドを含む少なくとも１つのアップリンクＤＣＩメッセージを送信すること、前記アップリンク送信のための前記複数のＴＰＣコマンドは、前記アップリンクデータチャネルのための前記ＴＰＣコマンドに少なくとも部分的に基づいて決定される、
をさらに備える、請求項１３に記載の方法。
【請求項１９】
前記ＵＥから、前記送信電力に従って送信された前記アップリンク送信を受信すること
をさらに備える、請求項１３に記載の方法。
【請求項２０】
前記ＵＣＩは、アップリンク制御チャネル上の確認応答、またはアップリンクデータチャネル上の確認応答、またはアップリンクデータ送信を備える、請求項１９に記載の方法。
【請求項２１】
ユーザ機器（ＵＥ）におけるワイヤレス通信のための装置であって、
基地局から、アップリンク送信のための複数の送信電力制御（ＴＰＣ）コマンドを含む複数のダウンリンク制御情報（ＤＣＩ）メッセージを受信するための手段と、
前記複数のＴＰＣコマンドの組合せに少なくとも部分的に基づいて、前記アップリンク送信のための電力調整値を決定するための手段と、
前記決定された電力調整値に少なくとも部分的に基づいて、送信電力レベルを調整するための手段と、
前記調整された送信電力レベルで、前記基地局にアップリンク送信を送信するための手段と
を備える装置。
【請求項２２】
前記複数のＴＰＣコマンドの前記組合せに少なくとも部分的に基づいて、前記アップリンク送信のための前記電力調整値を前記決定するための手段は、
前記複数のＴＰＣコマンドから複数のＴＰＣ値を識別するための手段と、
前記電力調整値を決定するために、前記複数のＴＰＣ値を合計するための手段と
を備える、請求項２１に記載の装置。
【請求項２３】
前記複数のＴＰＣコマンドの数に少なくとも部分的に基づいて、前記複数のＴＰＣ値をスケーリングするための手段、ここにおいて、前記複数のＴＰＣ値を合計することは、前記スケーリングされた複数のＴＰＣ値を合計することを含む、
をさらに備える、請求項２２に記載の装置。
【請求項２４】
前記複数のＴＰＣコマンドの前記組合せに少なくとも部分的に基づいて、前記アップリンク送信のための前記電力調整値を前記決定するための手段は、
前記複数のＴＰＣコマンドのうちの最も直近に受信されたＴＰＣコマンドを識別するための手段と、
前記最も直近に受信されたＴＰＣコマンドに少なくとも部分的に基づいて、前記アップリンク送信のための前記電力調整値を決定するための手段と
を備える、請求項２１に記載の装置。
【請求項２５】
アップリンク制御情報（ＵＣＩ）の少なくとも１つの属性における変更を識別するための手段と、
前記識別された変更に少なくとも部分的に基づく前記複数のＴＰＣコマンドの前記組合せに少なくとも部分的に基づいて、前記ＵＣＩのための前記電力調整値を決定するための手段と
をさらに備える、請求項２１に記載の装置。
【請求項２６】
前記アップリンク送信のための前記複数のＤＣＩメッセージを前記受信するための手段は、
アップリンクデータチャネルのためのＴＰＣコマンドを含む少なくとも１つのＤＣＩメッセージを受信するための手段、前記アップリンク送信のための前記電力調整値は、前記アップリンクデータチャネルのための前記ＴＰＣコマンドに少なくとも部分的に基づいて決定される、
をさらに備える、請求項２１に記載の装置。
【請求項２７】
基地局におけるワイヤレス通信のための装置であって、
前記基地局によって、ユーザ機器（ＵＥ）によって送信されるべきアップリンク送信の送信電力レベルを調整するための電力調整値を識別するための手段と、
前記識別された電力調整値に少なくとも部分的に基づいて、前記アップリンク送信のための複数の送信電力制御（ＴＰＣ）コマンドを決定するための手段と、前記複数のＴＰＣコマンドの組合せが、前記アップリンク送信のための前記送信電力を調整する前記電力調整値を示すためのものであり、
前記ＵＥに、前記決定された複数のＴＰＣコマンドを含む複数のダウンリンク制御情報（ＤＣＩ）メッセージを送信するための手段と
を備える装置。
【請求項２８】
前記複数のＴＰＣコマンドの前記組合せに少なくとも部分的に基づいて、前記アップリンク送信のための前記電力調整値を前記決定するための手段は、
前記複数のＴＰＣコマンドから複数のＴＰＣ値を識別するための手段と、
前記電力調整値を決定するために、前記複数のＴＰＣ値を合計するための手段と
を備える、請求項２７に記載の装置。
【請求項２９】
前記複数のＴＰＣコマンドの数に少なくとも部分的に基づいて、前記複数のＴＰＣ値をスケーリングするための手段、ここにおいて、前記複数のＴＰＣ値を合計することは、前記スケーリングされた複数のＴＰＣ値を合計することを含む、
をさらに備える、請求項２８に記載の装置。
【請求項３０】
前記複数のＴＰＣコマンドの前記組合せに少なくとも部分的に基づいて、前記アップリンク送信のための前記電力調整値を前記決定するための手段は、
前記複数のＴＰＣコマンドのうちの最も直近に受信されたＴＰＣコマンドを識別するための手段と、
前記最も直近に受信されたＴＰＣコマンドに少なくとも部分的に基づいて、前記アップリンク送信のための前記電力調整値を決定するための手段と
を備える、請求項２７に記載の装置。
【発明の詳細な説明】
【相互参照】
【０００１】
[0001]本特許出願は、２０１８年１月２３日に出願された「Transmit Power Control Command Handling across Multiple Downlink Control Information」と題する、Akkarakaran他による米国仮特許出願第６２／６２１，０３３号、および２０１９年１月２１日に出願された「Transmit Power Control Command Handling across Multiple Downlink Control Information」と題する、Akkarakaran他による米国特許出願第１６／２５３，２１１号の利益を主張し、これらの各々は、本譲受人に譲渡される。
【背景技術】
【０００２】
[0002]以下は、一般にワイヤレス通信に関し、より具体的には、複数のダウンリンク制御情報（ＤＣＩ）メッセージにわたる送信電力制御（ＴＰＣ）コマンド処理に関する。
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、ロングタームエボリューション（ＬＴＥ（登録商標））システム、ＬＴＥアドバンスト（ＬＴＥ−Ａ）システム、またはＬＴＥ−Ａ  Ｐｒｏシステムなどの第４世代（４Ｇ）システムと、新無線（ＮＲ：New Radio）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）などの技術を用い得る。ワイヤレス多元接続通信システムは、いくつかの基地局またはネットワークアクセスノードを含み得、各々が、別名ユーザ機器（ＵＥ）として知られ得る複数の通信デバイスのための通信を同時にサポートする。
【０００４】
[0004]いくつかのワイヤレスシステムは、共有またはアンライセンス無線周波数スペクトル帯域上で、あるいは異なる無線周波数スペクトル帯域（例えば、ライセンス無線周波数スペクトル帯域およびアンライセンス無線周波数スペクトル帯域）上で、基地局とＵＥとの間の通信を可能にし得る。これらのワイヤレス通信システムにおけるリソースのスケジューリングは、基地局によってＵＥに提供されるＤＣＩメッセージにおけるダウンリンク許可またはアップリンク許可に基づき得る。ＤＣＩメッセージはまた、ＵＥによる基地局へのアップリンク送信のためのＴＰＣコマンドを含む、他のタイプのＤＣＩを含み得る。いくつかのケースでは、複数のＴＰＣコマンドは、アップリンク制御情報の送信などの、単一のアップリンク送信に対応し得る。したがって、アップリンク制御情報の単一の送信のために、複数のＤＣＩメッセージにわたるＴＰＣコマンドを処理するための改善された技法が望まれ得る。
【発明の概要】
【０００５】
[0005]説明される技法は、複数のダウンリンク制御情報（ＤＣＩ）メッセージにわたる送信電力制御（ＴＰＣ）コマンド処理をサポートする改善された方法、システム、デバイス、または装置に関する。ユーザ機器（ＵＥ）は、受信されたＤＣＩに基づいて、ＴＰＣコマンドを適用し得、アップリンク情報を送信し得る。ＵＥは、アップリンク送信（例えば、アップリンク制御情報（ＵＣＩ）、アップリンクデータなど）のための複数のＴＰＣコマンドを含む複数のＤＣＩメッセージを受信し得る。アップリンク送信のための電力レベルは、ＴＰＣコマンドの組合せに基づいて調整され得る。例えば、ＴＰＣコマンドがあわせて考慮され得る（例えば、加算される、平均化されるなど）、最新のＴＰＣコマンドが使用され得る、など。いくつかのケースでは、（例えば、他のＤＣＩを介して示されたアップリンク送信のための前のＴＰＣコマンドからの）アップリンク送信のためのＴＰＣコマンドにおける変更は、アップリンク送信のための１つまたは複数の送信属性における変更を示し得る。いくつかのケースでは、ＵＥは、前の送信の間欠送信（ＤＴＸ：discontinuous transmission）をもたらす優先送信のための許可を受信し得、これは、ＵＥによるＴＰＣ修正をもたらし得る。
【０００６】
[0006]ＵＥにおけるワイヤレス通信の方法が説明される。方法は、基地局から、アップリンク送信のためのＴＰＣコマンドのセットを含むＤＣＩメッセージのセットを受信することと、ＴＰＣコマンドのセットの組合せに基づいて、アップリンク送信のための電力調整値を決定することと、決定された電力調整値に基づいて、送信電力レベルを調整することと、調整された送信電力レベルで、基地局にアップリンク送信を送信することと、を含み得る。
【０００７】
[0007]ＵＥにおけるワイヤレス通信のための装置が説明される。装置は、プロセッサと、プロセッサと電子通信状態にあるメモリと、メモリに記憶された命令とを含み得る。命令は、装置に、基地局から、アップリンク送信のためのＴＰＣコマンドのセットを含むＤＣＩメッセージのセットを受信することと、ＴＰＣコマンドのセットの組合せに基づいて、アップリンク送信のための電力調整値を決定することと、決定された電力調整値に基づいて、送信電力レベルを調整することと、調整された送信電力レベルで、基地局にアップリンク送信を送信することと、を行わせるようにプロセッサによって実行可能であり得る。
【０００８】
[0008]ＵＥにおけるワイヤレス通信のための別の装置が説明される。装置は、基地局から、アップリンク送信のためのＴＰＣコマンドのセットを含むＤＣＩメッセージのセットを受信することと、ＴＰＣコマンドのセットの組合せに基づいて、アップリンク送信のための電力調整値を決定することと、決定された電力調整値に基づいて、送信電力レベルを調整することと、調整された送信電力レベルで、基地局にアップリンク送信を送信することと、を行うための手段を含み得る。
【０００９】
[0009]ＵＥにおけるワイヤレス通信のためのコードを記憶した非一時的なコンピュータ可読媒体が説明される。コードは、基地局から、アップリンク送信のためのＴＰＣコマンドのセットを含むＤＣＩメッセージのセットを受信することと、ＴＰＣコマンドのセットの組合せに基づいて、アップリンク送信のための電力調整値を決定することと、決定された電力調整値に基づいて、送信電力レベルを調整することと、調整された送信電力レベルで、基地局にアップリンク送信を送信することと、を行うようにプロセッサによって実行可能な命令を含み得る。
【００１０】
[0010]本明細書で説明される方法、装置、および非一時的なコンピュータ可読媒体のいくつかの例では、ＴＰＣコマンドのセットの組合せに基づいて、アップリンク送信のための電力調整値を決定することは、ＴＰＣコマンドのセットからＴＰＣ値のセットを識別することと、電力調整値を決定するために、ＴＰＣ値のセットを合計することと、を行うための動作、特徴、手段、または命令を含み得る。
【００１１】
[0011]本明細書で説明される方法、装置、および非一時的なコンピュータ可読媒体のいくつかの例は、ＴＰＣコマンドのセットの数（a number of the set of TPC commands）に基づいて、ＴＰＣ値のセットをスケーリングするための動作、特徴、手段、または命令をさらに含み得、ここで、ＴＰＣ値のセットを合計することは、スケーリングされたＴＰＣ値のセットを合計することを含む。
【００１２】
[0012]本明細書で説明される方法、装置、および非一時的なコンピュータ可読媒体のいくつかの例では、ＴＰＣコマンドのセットの組合せに基づいて、アップリンク送信のための電力調整値を決定することは、ＴＰＣコマンドのセットのうちの最も直近に受信された（most recently-received）ＴＰＣコマンドを識別することと、最も直近に受信されたＴＰＣコマンドに基づいて、アップリンク送信のための電力調整値を決定することと、を行うための動作、特徴、手段、または命令を含み得る。
【００１３】
[0013]本明細書で説明される方法、装置、および非一時的なコンピュータ可読媒体のいくつかの例は、アップリンク送信の少なくとも１つの属性における変更を識別することと、識別された変更に基づくＴＰＣコマンドのセットの組合せに基づいて、アップリンク送信のための電力調整値を決定することと、を行うための動作、特徴、手段、または命令をさらに含み得る。
【００１４】
[0014]本明細書で説明される方法、装置、および非一時的なコンピュータ可読媒体のいくつかの例は、ＤＣＩメッセージのセットのうちの１つまたは複数の中で、少なくとも１つの属性の値を受信するための動作、特徴、手段、または命令をさらに含み得、ここで、アップリンク送信の少なくとも１つの属性における変更は、少なくとも１つの属性の受信された値に基づいて識別され得る。
【００１５】
[0015]本明細書で説明される方法、装置、および非一時的なコンピュータ可読媒体のいくつかの例では、アップリンク送信の少なくとも１つの属性は、ＵＣＩペイロードサイズ、またはＰＵＣＣＨリソース割当て、またはＰＵＣＣＨフォーマット、またはＰＵＣＣＨリソースプール、またはこれらの組合せを含む。
【００１６】
[0016]本明細書で説明される方法、装置、および非一時的なコンピュータ可読媒体のいくつかの例は、少なくとも１つの属性における変更を識別する前に、ＵＣＩのためのＴＰＣコマンドの第２のセットに基づいて、ＵＣＩのための電力調整値を決定するための動作、特徴、手段、または命令をさらに含み得、ＴＰＣコマンドのセットは、単一のＵＣＩに関連付けられたＴＰＣコマンドのための共通のＴＰＣ値を有し得るように制限される。
【００１７】
[0017]本明細書で説明される方法、装置、および非一時的なコンピュータ可読媒体のいくつかの例では、アップリンク送信は、ＵＣＩであり得、ＵＣＩのためのＤＣＩメッセージのセットを受信することは、アップリンクデータチャネルのためのＴＰＣコマンドを含む少なくとも１つのＤＣＩメッセージを受信するための動作、特徴、手段、または命令をさらに含み得、ＵＣＩのための電力調整値は、アップリンクデータチャネルのためのＴＰＣコマンドに基づいて決定される。
【００１８】
[0018]本明細書で説明される方法、装置、および非一時的なコンピュータ可読媒体のいくつかの例は、アップリンクデータチャネルのための第１のＴＰＣコマンドと、制御チャネル上のＵＣＩのための第２のＴＰＣコマンドとを含むＤＣＩメッセージを受信するための動作、特徴、手段、または命令をさらに含み得、ここで、アップリンク送信は、ＵＣＩを含む。
【００１９】
[0019]本明細書で説明される方法、装置、および非一時的なコンピュータ可読媒体のいくつかの例は、アップリンクデータチャネルのためのＴＰＣコマンドを含むＤＣＩメッセージを受信することと、アップリンクデータチャネルのためのＴＰＣコマンドに基づいて、ＵＣＩのためのＴＰＣコマンドのセットのうちの１つまたは複数のＴＰＣコマンドを無視することと、を行うための動作、特徴、手段、または命令をさらに含み得、ここで、１つまたは複数のＴＰＣコマンドは、アップリンク制御チャネルのためのものであり得、ここで、アップリンク送信は、ＵＣＩを含む。
【００２０】
[0020]本明細書で説明される方法、装置、および非一時的なコンピュータ可読媒体のいくつかの例では、アップリンク送信は、アップリンク制御チャネル上の確認応答、またはアップリンクデータチャネル上の確認応答、またはアップリンクデータ送信を含む。
【００２１】
[0021]基地局におけるワイヤレス通信の方法が説明される。方法は、基地局によって、ＵＥによって送信されるべきアップリンク送信の送信電力レベルを調整するための電力調整値を識別することと、識別された電力調整値に基づいて、アップリンク送信のためのＴＰＣコマンドのセットを決定することと、ＴＰＣコマンドのセットの組合せが、アップリンク送信のための送信電力を調整する電力調整値を示すためのものであり、ＵＥに、決定されたＴＰＣコマンドのセットを含むＤＣＩメッセージのセットを送信することと、を含み得る。
【００２２】
[0022]基地局におけるワイヤレス通信のための装置が説明される。装置は、プロセッサと、プロセッサと電子通信状態にあるメモリと、メモリに記憶された命令とを含み得る。命令は、装置に、基地局によって、ＵＥによって送信されるべきアップリンク送信の送信電力レベルを調整するための電力調整値を識別することと、識別された電力調整値に基づいて、アップリンク送信のためのＴＰＣコマンドのセットを決定することと、ＴＰＣコマンドのセットの組合せが、アップリンク送信のための送信電力を調整する電力調整値を示すためのものであり、ＵＥに、決定されたＴＰＣコマンドのセットを含むＤＣＩメッセージのセットを送信することと、を行わせるようにプロセッサによって実行可能であり得る。
【００２３】
[0023]基地局におけるワイヤレス通信のための別の装置が説明される。装置は、基地局によって、ＵＥによって送信されるべきアップリンク送信の送信電力レベルを調整するための電力調整値を識別することと、識別された電力調整値に基づいて、アップリンク送信のためのＴＰＣコマンドのセットを決定することと、ＴＰＣコマンドのセットの組合せが、アップリンク送信のための送信電力を調整する電力調整値を示すためのものであり、ＵＥに、決定されたＴＰＣコマンドのセットを含むＤＣＩメッセージのセットを送信することと、を行うための手段を含み得る。
【００２４】
[0024]基地局におけるワイヤレス通信のためのコードを記憶した非一時的なコンピュータ可読媒体が説明される。コードは、基地局によって、ＵＥによって送信されるべきアップリンク送信の送信電力レベルを調整するための電力調整値を識別することと、識別された電力調整値に基づいて、アップリンク送信のためのＴＰＣコマンドのセットを決定することと、ＴＰＣコマンドのセットの組合せが、アップリンク送信のための送信電力を調整する電力調整値を示すためのものであり、ＵＥに、決定されたＴＰＣコマンドのセットを含むＤＣＩメッセージのセットを送信することと、を行うようにプロセッサによって実行可能な命令を含み得る。
【００２５】
[0025]本明細書で説明される方法、装置、および非一時的なコンピュータ可読媒体のいくつかの例では、電力調整値は、ＴＰＣコマンドのセットについてのＴＰＣ値のセットの合計であり得る。
【００２６】
[0026]本明細書で説明される方法、装置、および非一時的なコンピュータ可読媒体のいくつかの例では、ＴＰＣコマンドのセットを決定することは、ＵＥが、電力調整値として、ＴＰＣコマンドのセットのうちの第１のＴＰＣコマンドを使用すべきであり得ることを識別することと、識別に基づいて、識別された第１のＴＰＣコマンドについてのＴＰＣ値になるように電力調整値を割り当てることと、を行うための動作、特徴、手段、または命令をさらに含み得る。
【００２７】
[0027]本明細書で説明される方法、装置、および非一時的なコンピュータ可読媒体のいくつかの例では、ＤＣＩメッセージのセットは、ＵＣＩについての少なくとも１つの属性の値における変更を示し、ここで、ＴＰＣコマンドのセットを決定することは、少なくとも１つの属性の値における変更に基づき得る。
【００２８】
[0028]本明細書で説明される方法、装置、および非一時的なコンピュータ可読媒体のいくつかの例では、アップリンク送信の少なくとも１つの属性は、ＵＣＩペイロードサイズ、またはＰＵＣＣＨリソース割当て、またはＰＵＣＣＨフォーマット、またはＰＵＣＣＨリソースプール、またはこれらの組合せを含む。
【００２９】
[0029]本明細書で説明される方法、装置、および非一時的なコンピュータ可読媒体のいくつかの例では、決定されたＤＣＩメッセージのセットをＵＥに送信することは、アップリンクデータチャネルのためのＴＰＣコマンドを含む少なくとも１つのアップリンクＤＣＩメッセージを送信するための動作、特徴、手段、または命令をさらに含み得、アップリンク送信のためのＴＰＣコマンドのセットは、アップリンクデータチャネルのためのＴＰＣコマンドに基づいて決定される。
【００３０】
[0030]本明細書で説明される方法、装置、および非一時的なコンピュータ可読媒体のいくつかの例は、ＵＥから、送信電力に従って送信されたアップリンク送信を受信するための動作、特徴、手段、または命令をさらに含み得る。
【００３１】
[0031]本明細書で説明される方法、装置、および非一時的なコンピュータ可読媒体のいくつかの例では、ＵＣＩは、アップリンク制御チャネル上の確認応答、またはアップリンクデータチャネル上の確認応答、またはアップリンクデータ送信を含む。
【００３２】
[0032]ワイヤレス通信の方法が説明される。方法は、第１のアップリンク許可に従って、基地局に第１の送信電力レベルで送信されるようにスケジュールされた第１のアップリンク通信を識別することと、基地局から、第２のアップリンク通信のための第２のアップリンク許可を受信することと、を含み得、第２のアップリンク通信は、第１のアップリンク通信よりも高い優先度を有する。方法は、第２のアップリンク許可を受信することに基づいて、第１の送信電力で送信されるようにスケジュールされた第１のアップリンク通信の第１の部分を送信し、第１のアップリンク通信の第２の部分の送信を遅延させることを決定することをさらに含み得る。方法は、第１のアップリンク通信の第１の部分を送信することを決定することに基づいて、第１のアップリンク通信の第１の部分のための第１の送信電力レベルを、第２の送信電力レベルに増大させるかどうかを決定することをさらに含み得る。
【００３３】
[0033]ワイヤレス通信のための装置が説明される。装置は、第１のアップリンク許可に従って、基地局に第１の送信電力レベルで送信されるようにスケジュールされた第１のアップリンク通信を識別するための手段と、基地局から、第２のアップリンク通信のための第２のアップリンク許可を受信するための手段と、第２のアップリンク通信は、第１のアップリンク通信よりも高い優先度を有し、第２のアップリンク許可を受信することに基づいて、第１の送信電力で送信されるようにスケジュールされた第１のアップリンク通信の第１の部分を送信し、第１のアップリンク通信の第２の部分の送信を遅延させることを決定するための手段と、第１のアップリンク通信の第１の部分を送信することを決定することに基づいて、第１のアップリンク通信の第１の部分のための第１の送信電力レベルを、第２の送信電力レベルに増大させるかどうかを決定するための手段とを含み得る。
【００３４】
[0034]ワイヤレス通信のための別の装置が説明される。装置は、プロセッサと、プロセッサと電子通信状態にあるメモリと、メモリに記憶された命令とを含み得る。命令は、プロセッサに、第１のアップリンク許可に従って、基地局に第１の送信電力レベルで送信されるようにスケジュールされた第１のアップリンク通信を識別することと、基地局から、第２のアップリンク通信のための第２のアップリンク許可を受信することと、第２のアップリンク通信は、第１のアップリンク通信よりも高い優先度を有し、第２のアップリンク許可を受信することに基づいて、第１の送信電力で送信されるようにスケジュールされた第１のアップリンク通信の第１の部分を送信し、第１のアップリンク通信の第２の部分の送信を遅延させることを決定することと、第１のアップリンク通信の第１の部分を送信することを決定することに基づいて、第１のアップリンク通信の第１の部分のための第１の送信電力レベルを、第２の送信電力レベルに増大させるかどうかを決定することと、を行わせるように動作可能であり得る。
【００３５】
[0035]ワイヤレス通信のための非一時的なコンピュータ可読媒体が説明される。非一時的なコンピュータ可読媒体は、プロセッサに、第１のアップリンク許可に従って、基地局に第１の送信電力レベルで送信されるようにスケジュールされた第１のアップリンク通信を識別することと、基地局から、第２のアップリンク通信のための第２のアップリンク許可を受信することと、第２のアップリンク通信は、第１のアップリンク通信よりも高い優先度を有し、第２のアップリンク許可を受信することに基づいて、第１の送信電力で送信されるようにスケジュールされた第１のアップリンク通信の第１の部分を送信し、第１のアップリンク通信の第２の部分の送信を遅延させることを決定することと、第１のアップリンク通信の第１の部分を送信することを決定することに基づいて、第１のアップリンク通信の第１の部分のための第１の送信電力レベルを、第２の送信電力レベルに増大させるかどうかを決定することと、を行わせるように動作可能な命令を含み得る。
【００３６】
[0036]本明細書で説明される方法、装置、および非一時的なコンピュータ可読媒体のいくつかの例は、第２の送信電力レベルで、第１のアップリンク通信の第１の部分を送信するためのプロセス、特徴、手段、または命令をさらに含み得る。
【００３７】
[0037]本明細書で説明される方法、装置、および非一時的なコンピュータ可読媒体のいくつかの例は、第２の送信電力レベルをしきい値電力レベル以下になるように制限するためのプロセス、特徴、手段、または命令をさらに含み得る。
【００３８】
[0038]本明細書で説明される方法、装置、および非一時的なコンピュータ可読媒体のいくつかの例は、第２のアップリンク許可が、第１のアップリンク通信がＵＥによって送信されることになり得る時点からしきい値時間量だけ前の時点に満たない時点で（less than a threshold amount of time before）、ＵＥによって受信されたことを識別するためのプロセス、特徴、手段、または命令をさらに含み得る。本明細書で説明される方法、装置、および非一時的なコンピュータ可読媒体のいくつかの例は、第１の送信電力レベルで、第１のアップリンク通信の第１の部分を送信するためのプロセス、特徴、手段、または命令をさらに含み得る。
【００３９】
[0039]本明細書で説明される方法、装置、および非一時的なコンピュータ可読媒体のいくつかの例では、しきい値時間量は、シンボル期間の数（a number of symbol periods）を含む。
【００４０】
[0040]本明細書で説明される方法、装置、および非一時的なコンピュータ可読媒体のいくつかの例は、ＵＥが、第１のアップリンク通信がＵＥによって送信されることになり得る時点からしきい値時間量だけ前の時点を超えた時点で（more than a threshold amount of time before）、第２のアップリンク許可を受信したことを識別するためのプロセス、特徴、手段、または命令をさらに含み得る。本明細書で説明される方法、装置、および非一時的なコンピュータ可読媒体のいくつかの例は、第２の送信電力レベルで、第１のアップリンク通信の第１の部分を送信するためのプロセス、特徴、手段、または命令をさらに含み得る。
【図面の簡単な説明】
【００４１】
【図１】[0041]図１は、本開示の態様による、複数のダウンリンク制御情報（ＤＣＩ）メッセージにわたる送信電力制御（ＴＰＣ）コマンド処理をサポートするワイヤレス通信のためのシステムの例を例示する。
【図２】[0042]図２は、本開示の態様による、複数のＤＣＩメッセージにわたるＴＰＣコマンド処理をサポートするワイヤレス通信システムの例を例示する。
【図３】[0043]図３は、本開示の態様による、複数のＤＣＩメッセージにわたるＴＰＣコマンド処理をサポートする送信電力調整スキームの例を例示する。
【図４Ａ】[0044]図４Ａは、本開示の態様による、複数のＤＣＩメッセージにわたるＴＰＣコマンド処理をサポートする間欠送信（ＤＴＸ）処理スキームの態様を例示する。
【図４Ｂ】[0044]図４Ｂは、本開示の態様による、複数のＤＣＩメッセージにわたるＴＰＣコマンド処理をサポートする間欠送信（ＤＴＸ）処理スキームの態様を例示する。
【図５】[0045]図５は、本開示の態様による、複数のＤＣＩメッセージにわたるＴＰＣコマンド処理をサポートするプロセスフローの例を例示する。
【図６】[0046]図６は、本開示の態様による、複数のＤＣＩメッセージにわたるＴＰＣコマンド処理をサポートするプロセスフローの例を例示する。
【図７】[0047]図７は、本開示の態様による、複数のＤＣＩメッセージにわたるＴＰＣコマンド処理をサポートするデバイスのブロック図を示す。
【図８】[0047]図８は、本開示の態様による、複数のＤＣＩメッセージにわたるＴＰＣコマンド処理をサポートするデバイスのブロック図を示す。
【図９】[0047]図９は、本開示の態様による、複数のＤＣＩメッセージにわたるＴＰＣコマンド処理をサポートするデバイスのブロック図を示す。
【図１０】[0048]図１０は、本開示の態様による、複数のＤＣＩメッセージにわたるＴＰＣコマンド処理をサポートするＵＥを含むシステムのブロック図を例示する。
【図１１】[0049]図１１は、本開示の態様による、複数のＤＣＩメッセージにわたるＴＰＣコマンド処理をサポートするデバイスのブロック図を示す。
【図１２】[0049]図１２は、本開示の態様による、複数のＤＣＩメッセージにわたるＴＰＣコマンド処理をサポートするデバイスのブロック図を示す。
【図１３】[0049]図１３は、本開示の態様による、複数のＤＣＩメッセージにわたるＴＰＣコマンド処理をサポートするデバイスのブロック図を示す。
【図１４】[0050]図１４は、本開示の態様による、複数のＤＣＩメッセージにわたるＴＰＣコマンド処理をサポートする基地局を含むシステムのブロック図を例示する。
【図１５】[0051]図１５は、本開示の態様による、複数のＤＣＩメッセージにわたるＴＰＣコマンド処理のための方法を例示する。
【図１６】[0051]図１６は、本開示の態様による、複数のＤＣＩメッセージにわたるＴＰＣコマンド処理のための方法を例示する。
【図１７】[0051]図１７は、本開示の態様による、複数のＤＣＩメッセージにわたるＴＰＣコマンド処理のための方法を例示する。
【詳細な説明】
【００４２】
[0052]ワイヤレス通信システムにおけるリソースのスケジューリングは、基地局によってＵＥに提供されるダウンリンク制御情報（ＤＣＩ）メッセージ中に存在するダウンリンク許可またはアップリンク許可に基づき得る。ＤＣＩメッセージはまた、ＵＥによる基地局へのアップリンク送信（例えば、アップリンク制御情報（ＵＣＩ）、アップリンクデータ送信など）のための送信電力制御（ＴＰＣ）コマンドを含む、他のタイプのＤＣＩを含み得る。ここで、複数のＴＰＣコマンドは、単一のアップリンク送信に対応し得る。いくつかの技法は、単一のアップリンク送信に対応するＴＰＣコマンドの各々が同じＴＰＣ値を有するように制限し得、受信ＵＥは、この共通のＴＰＣ値に基づいて、アップリンク送信の送信電力を調整し得る。しかしながら、この厳格な要件は、このようなシステムにおける電力制御パフォーマンスを妨げる可能性がある。例えば、これらの技法は、次のうちの１つまたは複数を特徴とするワイヤレス通信システムにおいて不適切であり得る：可変の物理アップリンク制御チャネル（ＰＵＣＣＨ）フォーマット、異なるペイロードサイズを有し得るＵＣＩ、フレキシブルＰＵＣＣＨおよび／または物理アップリンク共有チャネル（ＰＵＳＣＨ）リソース割振り、あるいはスロットおよび／またはミニスロット構造のフレキシブルまたは可変の構成。したがって、複数のＤＣＩメッセージにわたるＴＰＣコマンドを処理する際に、より大きな柔軟性が望まれる。複数のＤＣＩメッセージにわたるＴＰＣコマンドを処理するための改善された技法が、本明細書でさらに説明される。
【００４３】
[0053]ユーザ機器（ＵＥ）は、基地局から受信されたＴＰＣコマンドをいつ適用すべきかを決定するために、アップリンク許可中で受信された情報を使用し得るか、またはアップリンク許可のタイミングを使用し得る。ＵＥは、ＤＣＩメッセージ中で、１つまたは複数のＴＰＣコマンドを受信し得る。ＤＣＩメッセージはまた、アップリンク許可またはダウンリンク許可、あるいは他のＤＣＩを含み得る。ＵＥは、許可が受信されたのと同じ送信時間間隔（ＴＴＩ）において、ＴＰＣコマンド（例えば、物理アップリンク制御チャネル（ＰＵＣＣＨ）用、物理アップリンク共有チャネル（ＰＵＳＣＨ）用、確認応答（ＡＣＫ）用など）を適用し得るか、あるいは、ＵＥは、後続のＴＴＩにおいて、ＴＰＣコマンドを適用し得る。いくつかのケースでは、ＰＵＣＣＨのためのＴＰＣコマンドは、物理ダウンリンク共有チャネル（ＰＤＳＣＨ）に含まれ得、ここで、ＰＵＣＣＨは、ＰＤＳＣＨに関連付けられたＡＣＫ／ＮＡＣＫを搬送し得る。さらに、複数のＰＤＳＣＨは、異なるＤＣＩ（例えば、複数のＤＣＩは、異なるＴＰＣコマンドを含み得る）でスケジュールされ得、複数のＰＤＳＣＨは、同じＰＵＣＣＨ上でＡＣＫされ得る（例えば、ＰＵＣＣＨは、異なるＴＰＣコマンドに関連付けられ得る）。本明細書で説明される技法は、複数のＤＣＩにわたるＴＰＣ処理を提供し得る。これらの技法は、（例えば、ＰＵＣＣＨフォーマット、アップリンク制御情報（ＵＣＩ）ペイロード、ＰＵＣＣＨ／ＰＵＳＣＨリソース割振りなどのための）増大されたスケジューリングの柔軟性、送信電力のより微細なチューニング、改善された間欠送信（ＤＴＸ）機能などを提供し得る。
【００４４】
[0054]複数のＤＣＩにおいて受信される複数のＴＰＣコマンドは、本明細書で説明される技法に従って処理され得る。いくつかのケースでは、複数のＴＰＣコマンドがアップリンク送信（例えば、アップリンク制御情報）に適用されるとき、アップリンク送信のための最終のＴＰＣコマンドを決定するために、個々のステップ（例えば、各ＴＰＣコマンド）が考慮され得る（例えば、加算される、平均化されるなど）。このような技法は、複数のＴＰＣコマンドがより微細な粒度で送信電力を制御するために使用され得るので、送信電力のより微細なチューニングを可能にし得る。
【００４５】
[0055]他の例では、複数のＴＰＣコマンドが同じアップリンク送信に適用されるとき、最も直近の（most recent）のＴＰＣコマンドがアップリンク送信に適用され得る。いくつかのケースでは、複数のＴＰＣコマンドは、ある特定のアップリンク送信について名目上一致し（nominally be consistent）（例えば、同じであり）得、これにより、可変のＴＰＣコマンドが、関連付けられたアップリンク送信の、１つまたは複数のあらかじめ定義された属性への変更を示し得る（例えば、アップリンク送信のためのＤＣＩまたはＴＰＣの変更が、送信属性の変更を示し得る）。いくつかのケースでは、このような属性の値は、複数のＤＣＩメッセージのうちの１つまたは複数に含まれ得る（例えば、ＵＣＩの属性における変更は、属性についての受信された値に基づいて識別され得る）。この属性値は、アップリンク送信属性の増大した制御（例えば、送信電力を制御または更新すること、リソース割当てを変更すること、ＵＣＩペイロードを変えることなどへの増大した柔軟性）を可能にし得る。
【００４６】
[0056]いくつかのケースでは、ＴＰＣコマンドは、間欠送信（ＤＴＸ）を示す許可に基づいて修正され得る。例えば、ＤＣＩは、アップリンク送信をスケジュールし得、そのアップリンク送信のためのＴＰＣコマンドを含み得る。次いで、後のＤＣＩが、より高い優先度の部分的にオーバーラップするアップリンク送信（例えば、低レイテンシまたはミッションクリティカル送信）をスケジュールし、第１のアップリンク送信の部分的なＤＴＸを引き起こし得る。このようなケースでは、ＴＰＣは、ＤＴＸからの電力損失を考慮するように修正され得、送信のＤＴＸされない（non-DTX’d）部分のための送信電力は増大し得る。したがって、（例えば、ＤＴＸされた）元のアップリンク送信の総電力は、ＤＴＸがない場合の電力レベルと同様のままであり得る。このような技法は、アップリンク送信を受信するワイヤレスデバイスにおいて（例えば、ＤＴＸされた送信がより高い電力レベルに関連付けられていることを予期している基地局において）、電力スペクトル密度（ＰＳＤ）関連の問題の発生を低減させ得る。
【００４７】
[0057]本開示の態様は、ワイヤレス通信システムのコンテキストにおいて、最初に説明される。次いで、例となる送信電力調整スキーム、ＤＴＸ処理スキーム、およびＴＰＣ処理プロセスフローが説明される。本開示の態様はさらに、複数のＤＣＩメッセージにわたるＴＰＣコマンド処理に関する装置図、システム図、およびフローチャートによって例示され、それらを参照して説明される。
【００４８】
[0058]図１は、本開示の様々な態様による、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａ  Ｐｒｏネットワーク、または新無線（ＮＲ）ネットワークであり得る。いくつかのケースでは、ワイヤレス通信システム１００は、拡張ブロードバンド通信、超高信頼性（例えば、ミッションクリティカル）通信、低レイテンシ通信、または低コストおよび低複雑度のデバイスとの通信をサポートし得る。
【００４９】
[0059]基地局１０５は、１つまたは複数の基地局アンテナを介して、ＵＥ１１５とワイヤレスに通信し得る。本明細書で説明される基地局１０５は、トランシーバ基地局（base transceiver station）、無線基地局、アクセスポイント、無線トランシーバ、ノードＢ、ｅノードＢ（ｅＮＢ）、次世代ノードＢもしくはギガノードＢ（これらのいずれもがｇＮＢと呼ばれ得る）、ホームノードＢ、ホームｅノードＢ、または何らかの他の好適な専門用語で当業者によって呼ばれ得るか、あるいはこれらを含み得る。ワイヤレス通信システム１００は、異なるタイプの基地局１０５（例えば、マクロまたはスモールセル基地局）を含み得る。本明細書で説明されるＵＥ１１５は、マクロｅＮＢ、スモールセルｅＮＢ、ｇＮＢ、中継基地局などを含む、様々なタイプの基地局１０５およびネットワーク機器と通信することが可能であり得る。
【００５０】
[0060]各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に対して通信カバレッジを提供し得、基地局１０５とＵＥ１１５との間の通信リンク１２５は、１つまたは複数のキャリアを利用し得る。ワイヤレス通信システム１００において示される通信リンク１２５は、ＵＥ１１５から基地局１０５へのアップリンク送信、または基地局１０５からＵＥ１１５へのダウンリンク送信を含み得る。ダウンリンク送信は、順方向リンク送信とも呼ばれ得、一方、アップリンク送信は、逆方向リンク送信とも呼ばれ得る。
【００５１】
[0061]基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、または他のタイプのセル、あるいはこれらの様々な組合せに対して、通信カバレッジを提供し得る。いくつかの例では、基地局１０５は、移動可能であり、したがって、移動する地理的カバレッジエリア１１０に対して通信カバレッジを提供し得る。いくつかの例では、異なる技術に関連付けられた異なる地理的カバレッジエリア１１０は、オーバーラップし得、異なる技術に関連付けられたオーバーラップする地理的カバレッジエリア１１０は、同じ基地局１０５によってまたは異なる基地局１０５によってサポートされ得る。ワイヤレス通信システム１００は、例えば、異なるタイプの基地局１０５が様々な地理的カバレッジエリア１１０に対してカバレッジを提供する異種ＬＴＥ／ＬＴＥ−Ａ／ＬＴＥ−Ａ  ＰｒｏまたはＮＲネットワークを含み得る。
【００５２】
[0062]「セル」という用語は、（例えば、キャリア上での）基地局１０５との通信のために使用される論理通信エンティティを指し、同じまたは異なるキャリアを介して動作する近隣セルを区別するための識別子（例えば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ）、狭帯域モノのインターネット（ＮＢ−ＩｏＴ）、拡張モバイルブロードバンド（ｅＭＢＢ）、またはその他）に従って構成され得る。いくつかのケースでは、「セル」という用語は、論理エンティティが動作する地理的カバレッジエリア１１０の一部分（例えば、セクタ）を指し得る。
【００５３】
[0063]ＵＥ１１５は、ワイヤレス通信システム１００全体にわたって分散され得、各ＵＥ１１５は、固定式またはモバイルであり得る。ＵＥ１１５はまた、モバイルデバイス、ワイヤレスデバイス、遠隔デバイス、ハンドヘルドデバイス、または加入者デバイス、あるいは何らかの他の好適な専門用語で呼ばれ得、ここで、「デバイス」は、ユニット、局、端末、またはクライアントとも呼ばれ得る。ＵＥ１１５はまた、セルラフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、全てのインターネット（ＩｏＥ）デバイス、またはＭＴＣデバイス、あるいは同様のものを指し得、これらは、アプライアンス、車両、メータ、または同様のものなどの様々な物品においてインプリメントされ得る。
【００５４】
[0064]ＭＴＣまたはＩｏＴデバイスなどのいくつかのＵＥ１１５は、低コストまたは低複雑度のデバイスであり得、（例えば、マシンツーマシン（Ｍ２Ｍ）通信を介した）マシン間の自動化された通信を提供し得る。Ｍ２Ｍ通信またはＭＴＣは、デバイスが人間の介在なしに互いにまたは基地局１０５と通信することを可能にするデータ通信技術を指し得る。いくつかの例では、Ｍ２Ｍ通信またはＭＴＣは、情報を測定または捕捉するためにセンサまたはメータを一体化し、プログラムまたはアプリケーションとインタラクトする人間にその情報を提示するか、またはその情報を利用し得るアプリケーションプログラムまたは中央サーバにその情報を中継するデバイスからの通信を含み得る。いくつかのＵＥ１１５は、情報を収集するか、または機械の自動化された挙動を可能にするように設計され得る。ＭＴＣデバイスのためのアプリケーションの例は、スマートメータリング、在庫（inventory）モニタリング、水位モニタリング、機器モニタリング、ヘルスケアモニタリング、野生生物モニタリング、天候および地質学的イベントモニタリング、フリート（fleet）管理および追跡、遠隔セキュリティ感知、物理アクセス制御、ならびに取引ベースのビジネス課金（transaction-based business charging）を含む。
【００５５】
[0065]いくつかのＵＥ１１５は、半二重通信（例えば、送信または受信を介した一方向通信をサポートするが、同時に送信と受信をサポートしないモード）などの、電力消費を低減させる動作モードを用いるように構成され得る。いくつかの例では、半二重通信は、低減されたピークレートで実行され得る。ＵＥ１１５のための他の電力節約技法は、アクティブな通信に従事していないときに電力節約「ディープスリープ」モードに入ること、または（例えば、狭帯域通信に従って）制限された帯域幅上で動作することを含む。いくつかのケースでは、ＵＥ１１５は、クリティカルな機能（例えば、ミッションクリティカル機能）をサポートするように設計され得、ワイヤレス通信システム１００は、これらの機能のために超高信頼性通信を提供するように構成され得る。
【００５６】
[0066]いくつかのケースでは、ＵＥ１１５はまた、（例えば、ピアツーピア（Ｐ２Ｐ）またはデバイスツーデバイス（Ｄ２Ｄ）プロトコルを使用して）他のＵＥ１１５と直接的に通信することも可能であり得る。Ｄ２Ｄ通信を利用するＵＥ１１５のグループのうちの１つまたは複数は、基地局１０５の地理的カバレッジエリア１１０内にあり得る。このようなグループにおける他のＵＥ１１５は、基地局１０５の地理的カバレッジエリア１１０の外部にあり得るか、または他の理由で（or be otherwise）、基地局１０５からの送信を受信することができない。いくつかのケースでは、Ｄ２Ｄ通信を介して通信するＵＥ１１５のグループは、各ＵＥ１１５がグループにおけるその他全ての（every other）ＵＥ１１５に送信する、一対多（one-to-many）（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５の関与なしにＵＥ１１５間で行われる。
【００５７】
[0067]基地局１０５は、コアネットワーク１３０と、および、互いに通信し得る。例えば、基地局１０５は、バックホールリンク１３２を通じて（例えば、Ｓ１または他のインターフェースを介して）、コアネットワーク１３０とインターフェースし得る。基地局１０５は、バックホールリンク１３４を介して（例えば、Ｘ２または他のインターフェースを介して）、直接的に（例えば、基地局１０５間で直接的に）または間接的に（例えば、コアネットワーク１３０を介して）のいずれかで、互いに通信し得る。
【００５８】
[0068]コアネットワーク１３０は、ユーザ認証、アクセス認可、追跡、インターネットプロトコル（ＩＰ）接続性、および他のアクセス、ルーティング、またはモビリティ機能を提供し得る。コアネットワーク１３０は、発展型パケットコア（ＥＰＣ）であり得、これは、少なくとも１つのモビリティ管理エンティティ（ＭＭＥ）、少なくとも１つのサービングゲートウェイ（Ｓ−ＧＷ）、および少なくとも１つのパケットデータネットワーク（ＰＤＮ）ゲートウェイ（Ｐ−ＧＷ）を含み得る。ＭＭＥは、ＥＰＣに関連付けられた基地局１０５によってサービス提供されるＵＥ１１５のためのモビリティ、認証、およびベアラ管理などの、非アクセス層（例えば、制御プレーン）機能を管理し得る。ユーザＩＰパケットは、Ｓ−ＧＷを通じて転送され得、これは、それ自体がＰ−ＧＷに接続され得る。Ｐ−ＧＷは、ＩＰアドレス割振りならびに他の機能を提供し得る。Ｐ−ＧＷは、ネットワークオペレータＩＰサービスに接続され得る。オペレータＩＰサービスは、インターネット、（１つまたは複数の）イントラネット、ＩＰマルチメディアサブシステム（ＩＭＳ）、またはパケット交換（ＰＳ）ストリーミングサービスへのアクセスを含み得る。
【００５９】
[0069]基地局１０５などのネットワークデバイスのうちの少なくともいくつかは、アクセスネットワークエンティティなどのサブコンポーネントを含み得、これは、アクセスノードコントローラ（ＡＮＣ）の例であり得る。各アクセスネットワークエンティティは、いくつかの他のアクセスネットワーク送信エンティティを通じてＵＥ１１５と通信し得、それらは、無線ヘッド、スマート無線ヘッド、または送信／受信ポイント（ＴＲＰ）と呼ばれ得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００６０】
[0070]ワイヤレス通信システム１００は、典型的には３００ＭＨｚ〜３００ＧＨｚの範囲にある、１つまたは複数の周波数帯域を使用して動作し得る。一般に、３００ＭＨｚ〜３ＧＨｚの領域は、波長が約１デシメートル〜１メートルの長さに及ぶので、極超短波（ＵＨＦ）領域またはデシメートル帯域として知られている。ＵＨＦ波は、建物および環境的特徴によって遮断またはリダイレクトされ得る。しかしながら、波は、マクロセルが屋内に位置するＵＥ１１５にサービスを提供するのに十分に、構造を透過し得る。ＵＨＦ波の送信は、３００ＭＨｚより下のスペクトルの短波（ＨＦ）または超短波（ＶＨＦ）部分のより小さい周波数およびより長い波を使用する送信と比較して、より小さいアンテナおよびより短いレンジ（例えば、１００ｋｍ未満）に関連付けられ得る。
【００６１】
[0071]ワイヤレス通信システム１００はまた、センチメートル帯域としても知られる、３ＧＨｚ〜３０ＧＨｚの周波数帯域を使用して、極極超短波（ＳＨＦ）領域において動作し得る。ＳＨＦ領域は、他のユーザからの干渉を許容し得るデバイスによって日和見的に使用され得る、５ＧＨｚ産業科学医療用（ＩＳＭ）帯域などの複数の帯域を含む。
【００６２】
[0072]ワイヤレス通信システム１００はまた、ミリメートル帯域としても知られる、スペクトルのミリメートル波（ＥＨＦ：extremely high frequency）領域（例えば、３０ＧＨｚ〜３００ＧＨｚ）において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、より狭い間隔で配置され得る。いくつかのケースでは、これは、ＵＥ１１５内のアンテナアレイの使用を容易にし得る。しかしながら、ＥＨＦ送信の伝搬は、ＳＨＦまたはＵＨＦ送信よりもさらに大きい大気減衰を受けることがあり、より短いレンジになり得る。本明細書で開示される技法は、１つまたは複数の異なる周波数領域を使用する送信にわたって用いられ得、これらの周波数領域にわたる帯域の指定された使用は、国または規制機関によって異なり得る。
【００６３】
[0073]いくつかのケースでは、ワイヤレス通信システム１００は、ライセンスおよびアンライセンス無線周波数スペクトル帯域の両方を利用し得る。例えば、ワイヤレス通信システム１００は、５ＧＨｚ  ＩＳＭ帯域などのアンライセンス帯域において、ライセンス支援型アクセス（ＬＡＡ）、ＬＴＥアンライセンス（ＬＴＥ−Ｕ）無線アクセス技術、またはＮＲ技術を用い得る。アンライセンス無線周波数スペクトル帯域において動作するとき、基地局１０５およびＵＥ１１５などのワイヤレスデバイスは、データを送信する前に周波数チャネルがクリアであることを確実にするために、リッスンビフォアトーク（ＬＢＴ：listen-before-talk）プロシージャを用い得る。いくつかのケースでは、アンライセンス帯域における動作は、ライセンス帯域（例えば、ＬＡＡ）において動作するＣＣと共に（in conjunction with）、ＣＡ構成に基づき得る。アンライセンススペクトルにおける動作は、ダウンリンク送信、アップリンク送信、ピアツーピア送信、またはこれらの組合せを含み得る。アンライセンススペクトルにおける複信（duplexing）は、周波数分割複信（ＦＤＤ）、時分割複信（ＴＤＤ）、または両方の組合せに基づき得る。
【００６４】
[0074]いくつかの例では、基地局１０５またはＵＥ１１５は、複数のアンテナを装備し得、それらは、送信ダイバーシティ、受信ダイバーシティ、多入力多出力（ＭＩＭＯ）通信、またはビームフォーミングなどの技法を用いるために使用され得る。例えば、ワイヤレス通信システム１００は、送信デバイス（例えば、基地局１０５）と受信デバイス（例えば、ＵＥ１１５）との間の送信スキームを使用し得、ここで、送信デバイスは、複数のアンテナを装備し、受信デバイスは、１つまたは複数のアンテナを装備する。ＭＩＭＯ通信は、異なる空間レイヤを介して複数の信号を送信または受信することによってスペクトル効率を増大させるためにマルチパス信号伝搬を用い得、これは、空間多重化と呼ばれ得る。複数の信号は、例えば、異なるアンテナまたはアンテナの異なる組合せを介して、送信デバイスによって送信され得る。同様に、複数の信号は、異なるアンテナまたはアンテナの異なる組合せを介して、受信デバイスによって受信され得る。複数の信号の各々は、別個の空間ストリームと呼ばれ得、同じデータストリーム（例えば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００６５】
[0075]空間フィルタリング、指向性送信、または指向性受信とも呼ばれ得るビームフォーミングは、送信デバイスと受信デバイスとの間の空間経路に沿ってアンテナビーム（例えば、送信ビームまたは受信ビーム）を形成またはステアリングするために、送信デバイスまたは受信デバイス（例えば、基地局１０５またはＵＥ１１５）において使用され得る信号処理技法である。ビームフォーミングは、アンテナアレイのアンテナ素子を介して通信される信号を、アンテナアレイに対して特定の向きで伝搬する信号が強め合う干渉を経験し、他の信号が弱め合う干渉を経験するように組み合わせることによって達成され得る。アンテナ素子を介して通信される信号の調整は、送信デバイスまたは受信デバイスが、デバイスに関連付けられたアンテナ素子の各々を介して搬送される信号に、ある特定の振幅および位相オフセットを適用することを含み得る。アンテナ素子の各々に関連付けられた調整は、（例えば、送信デバイスまたは受信デバイスのアンテナアレイに対して、あるいは何らかの他の向きに対して）特定の向きに関連付けられたビームフォーミング重みセットによって定義され得る。
【００６６】
[0076]一例では、基地局１０５は、ＵＥ１１５との指向性通信のためのビームフォーミング動作を実施するために、複数のアンテナまたはアンテナアレイを使用し得る。例えば、いくつかの信号（例えば、同期信号、基準信号、ビーム選択信号、または他の制御信号）は、異なる方向に複数回基地局１０５によって送信され得、これは、異なる送信の方向に関連付けられた異なるビームフォーミング重みセットに従って送信される信号を含み得る。異なるビーム方向における送信は、基地局１０５による後続の送信および／または受信のためのビーム方向を（例えば、基地局１０５またはＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。例えば、ＵＥ１１５は、異なる方向に基地局１０５によって送信された信号のうちの１つまたは複数を受信し得、ＵＥ１１５は、それが最高の信号品質で受信したか、さもなければ許容可能な信号品質で受信した信号のインジケーションを基地局１０５に報告し得る。これらの技法は、基地局１０５によって１つまたは複数の方向に送信される信号に関して説明されるが、ＵＥ１１５は、（例えば、ＵＥ１１５による後続の送信または受信のためのビーム方向を識別するために）異なる方向に複数回信号を送信するために、または（例えば、受信デバイスにデータを送信するために）単一の方向に信号を送信するために、同様の技法を用い得る。
【００６７】
[0077]受信デバイス（例えば、ｍｍＷ受信デバイスの例であり得るＵＥ１１５）は、同期信号、基準信号、ビーム選択信号、または他の制御信号など、基地局１０５から様々な信号を受信するとき、複数の受信ビームを試み得る。例えば、受信デバイスは、異なるアンテナサブアレイを介して受信することによって、異なるアンテナサブアレイに従って受信された信号を処理することによって、アンテナアレイのいくつかのアンテナ素子において受信される信号に適用される異なる受信ビームフォーミング重みセットに従って受信することによって、またはアンテナアレイのいくつかのアンテナ素子において受信される信号に適用される異なる受信ビームフォーミング重みセットに従って受信された信号を処理することによって、複数の受信方向を試み得、これらのうちのいずれもが、異なる受信ビームまたは受信方向に従って「リッスンする」と呼ばれ得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに基づいて決定されたビーム方向（例えば、複数のビーム方向に従ってリッスンすることに基づいて、最高の信号強度、最高の信号対雑音比、またはさもなければ許容可能な信号品質を有すると決定されたビーム方向）に位置合わせされ得る。
【００６８】
[0078]いくつかのケースでは、基地局１０５またはＵＥ１１５のアンテナは、ＭＩＭＯ動作、あるいは送信または受信ビームフォーミングをサポートし得る、１つまたは複数のアンテナアレイ内に位置し得る。例えば、１つまたは複数の基地局アンテナまたはアンテナアレイは、アンテナタワーなどのアンテナアセンブリにおいてコロケートされ得る。いくつかのケースでは、基地局１０５に関連付けられたアンテナまたはアンテナアレイは、多様な地理的ロケーションに位置し得る。基地局１０５は、基地局１０５がＵＥ１１５との通信のビームフォーミングをサポートするために使用し得るアンテナポートのいくつかの行および列を有するアンテナアレイを有し得る。同様に、ＵＥ１１５は、様々なＭＩＭＯまたはビームフォーミング動作をサポートし得る１つまたは複数のアンテナアレイを有し得る。
【００６９】
[0079]いくつかのケースでは、ワイヤレス通信システム１００は、階層プロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットのセグメント化およびリアセンブリを実行し得る。媒体アクセス制御（ＭＡＣ）レイヤは、優先処理およびトランスポートチャネルへの論理チャネルの多重化を実行し得る。ＭＡＣレイヤはまた、ＭＡＣレイヤにおいて再送信を提供するためにハイブリッド自動再送要求（ＨＡＲＱ）を使用して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００７０】
[0080]いくつかのケースでは、ＵＥ１１５および基地局１０５は、データが成功裏に受信される可能性を増大させるために、データの再送信をサポートし得る。ＨＡＲＱフィードバックは、データが通信リンク１２５上で正しく受信される可能性を増大させる１つの技法である。ＨＡＲＱは、（例えば、巡回冗長検査（ＣＲＣ）を使用した）誤り検出、前方誤り訂正（ＦＥＣ）、および再送信（例えば、自動再送要求（ＡＲＱ））の組合せを含み得る。ＨＡＲＱは、劣悪な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロットにおける前のシンボル中に受信されたデータに対して、そのスロットにおいてＨＡＲＱフィードバックを提供し得る。他のケースでは、デバイスは、後続のスロットにおいて、または何らかの他の時間間隔に従って、ＨＡＲＱフィードバックを提供し得る。
【００７１】
[0081]ＬＴＥまたはＮＲにおける時間間隔は、基本時間単位の倍数で表され得、これは、例えば、Ｔｓ＝１／３０，７２０，０００秒のサンプリング期間を指し得る。通信リソースの時間間隔は、１０ミリ秒（ｍｓ）の持続時間をそれぞれ有する無線フレームに従って編成され得、ここで、フレーム期間は、Ｔｆ＝３０７，２００Ｔｓとして表され得る。無線フレームは、０から１０２３までの範囲にわたるシステムフレーム番号（ＳＦＮ）によって識別され得る。各フレームは、０から９までの番号が付けられた１０個のサブフレームを含み得、各サブフレームは、１ｍｓの持続時間を有し得る。サブフレームは、０．５ｍｓの持続時間をそれぞれ有する２つのスロットにさらに分割され得、各スロットは、（例えば、各シンボル期間の先頭に追加されたサイクリックプレフィックスの長さに依存して）６個または７個の変調シンボル期間を含み得る。サイクリックプレフィックスを除き、各シンボル期間は、２０４８個のサンプリング期間を含み得る。いくつかのケースでは、サブフレームは、ワイヤレス通信システム１００の最小スケジューリング単位であり得、送信時間間隔（ＴＴＩ）と呼ばれ得る。他のケースでは、ワイヤレス通信システム１００の最小スケジューリング単位は、サブフレームより短くあり得るか、または（例えば、短縮されたＴＴＩ（ｓＴＴＩ）のバーストにおいて、またはｓＴＴＩを使用する選択されたコンポーネントキャリアにおいて）動的に選択され得る。
【００７２】
[0082]いくつかのワイヤレス通信システムでは、スロットは、１つまたは複数のシンボルを含む複数のミニスロットにさらに分割され得る。いくつかの事例では、ミニスロットのシンボルまたはミニスロットは、スケジューリングの最小単位であり得る。各シンボルは、例えば、動作の周波数帯域またはサブキャリア間隔に依存して持続時間が異なり得る。さらに、いくつかのワイヤレス通信システムは、複数のスロットまたはミニスロットが共に集約され、ＵＥ１１５と基地局１０５との間の通信のために使用されるスロットアグリゲーションをインプリメントし得る。
【００７３】
[0083]「キャリア」という用語は、通信リンク１２５上の通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、または他のシグナリングを搬送し得る。キャリアは、予め定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って位置付けられ得る。キャリアは、（例えば、ＦＤＤモードでは）ダウンリンクもしくはアップリンクであり得、または（例えば、ＴＤＤモードでは）ダウンリンクおよびアップリンク通信を搬送するように構成され得る。いくつかの例では、キャリア上で送信される信号波形は、（例えば、ＯＦＤＭまたはＤＦＴ−ｓ−ＯＦＤＭなどのマルチキャリア変調（ＭＣＭ）技法を使用して）複数のサブキャリアから構成され得る。
【００７４】
[0084]キャリアの編成構造は、無線アクセス技術（例えば、ＬＴＥ、ＬＴＥ−Ａ、ＬＴＥ−Ａ  Ｐｒｏ、ＮＲなど）によって異なり得る。例えば、キャリア上の通信は、ＴＴＩまたはスロットに従って編成され得、それらの各々は、ユーザデータならびにユーザデータの復号をサポートするための制御情報またはシグナリングを含み得る。キャリアはまた、専用捕捉シグナリング（dedicated acquisition signaling）（例えば、同期信号またはシステム情報など）と、キャリアのための動作を調整する制御シグナリングとを含み得る。いくつかの例では（例えば、キャリアアグリゲーション構成において）、キャリアはまた、他のキャリアのための動作を調整する捕捉シグナリングまたは制御シグナリングを有し得る。
【００７５】
[0085]物理チャネルは、様々な技法に従ってキャリア上で多重化され得る。物理制御チャネルおよび物理データチャネルは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネルにおいて送信される制御情報は、カスケード方式で異なる制御領域間で（例えば、共通制御領域または共通探索空間と、１つまたは複数のＵＥ固有制御領域またはＵＥ固有探索空間との間で）分散され得る。
【００７６】
[0086]キャリアは、無線周波数スペクトルの特定の帯域幅に関連付けられ得、いくつかの例では、キャリア帯域幅は、キャリアまたはワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、または８０ＭＨｚ）のうちの１つであり得る。いくつかの例では、各サービス提供されるＵＥ１１５は、キャリア帯域幅の一部分または全てを介して動作するために構成され得る。他の例では、いくつかのＵＥ１１５は、キャリア内の予め定義された部分または範囲（例えば、サブキャリアまたはＲＢのセット）に関連付けられた狭帯域プロトコルタイプを使用する動作（例えば、狭帯域プロトコルタイプの「インバンド」展開）のために構成され得る。
【００７７】
[0087]ＭＣＭ技法を用いるシステムでは、リソース要素は、１つのシンボル期間（例えば、１つの変調シンボルの持続時間）と１つのサブキャリアで構成され得、ここで、シンボル期間とサブキャリア間隔は、反比例する（inversely related）。各リソース要素によって搬送されるビットの数は、変調スキーム（例えば、変調スキームの次数）に依存し得る。したがって、ＵＥ１１５が受信するリソース要素が多いほど、および、変調スキームの次数が高いほど、ＵＥ１１５のためのデータレートはより高くなり得る。ＭＩＭＯシステムでは、ワイヤレス通信リソースは、無線周波数スペクトルリソースと、時間リソースと、空間リソース（例えば、空間レイヤ）との組合せを指し得、複数の空間レイヤの使用は、ＵＥ１１５との通信のためのデータレートをさらに増大させ得る。
【００７８】
[0088]ワイヤレス通信システム１００のデバイス（例えば、基地局１０５またはＵＥ１１５）は、特定のキャリア帯域幅上の通信をサポートするハードウェア構成を有し得るか、またはキャリア帯域幅のセットのうちの１つの上での通信をサポートするように構成可能であり得る。いくつかの例では、ワイヤレス通信システム１００は、１つより多くの異なるキャリア帯域幅に関連付けられたキャリアを介した同時通信をサポートし得る基地局１０５および／またはＵＥを含み得る。
【００７９】
[0089]ワイヤレス通信システム１００は、複数のセルまたはキャリア上でのＵＥ１１５との通信、すなわち、キャリアアグリゲーション（ＣＡ）またはマルチキャリア動作と呼ばれ得る特徴をサポートし得る。ＵＥ１１５は、キャリアアグリゲーション構成に従って、複数のダウンリンクＣＣと、１つまたは複数のアップリンクＣＣとで構成され得る。キャリアアグリゲーションは、ＦＤＤコンポーネントキャリアとＴＤＤコンポーネントキャリアとの両方で使用され得る。
【００８０】
[0090]いくつかのケースでは、ワイヤレス通信システム１００は、拡張コンポーネントキャリア（ｅＣＣ）を利用し得る。ｅＣＣは、より広いキャリアもしくは周波数チャネル帯域幅、より短いシンボル持続時間、より短いＴＴＩ持続時間、または修正された制御チャネル構成を含む、１つまたは複数の特徴によって特徴付けられ得る。いくつかのケースでは、ｅＣＣは、（例えば、複数のサービングセルが準最適のまたは理想的でないバックホールリンクを有するとき）デュアルコネクティビティ構成またはキャリアアグリゲーション構成に関連付けられ得る。ｅＣＣはまた、（例えば、１つより多くのオペレータがスペクトルを使用することを許可されている）共有スペクトルまたはアンライセンススペクトルにおける使用のために構成され得る。広いキャリア帯域幅によって特徴付けられるｅＣＣは、キャリア帯域幅全体をモニタすることが可能でないか、またはさもなければ、（例えば、電力を節約するために）制限されたキャリア帯域幅を使用するように構成されたＵＥ１１５によって利用され得る１つまたは複数のセグメントを含み得る。
【００８１】
[0091]いくつかのケースでは、ｅＣＣは、他のＣＣとは異なるシンボル持続時間を利用し得、これは、他のＣＣのシンボル持続時間と比較して、低減されたシンボル持続時間の使用を含み得る。より短いシンボル持続時間は、隣接するサブキャリア間の増大された間隔に関連付けられ得る。ｅＣＣを利用するＵＥ１１５または基地局１０５などのデバイスは、低減されたシンボル持続時間（例えば、１６．６７マイクロ秒）で（例えば、２０、４０、６０、８０ＭＨｚなどのキャリア帯域幅または周波数チャネルに従って）広帯域信号を送信し得る。ｅＣＣにおけるＴＴＩは、１つまたは複数のシンボル期間で構成され得る。いくつかのケースでは、ＴＴＩ持続時間（すなわち、ＴＴＩにおけるシンボル期間の数）は、可変であり得る。
【００８２】
[0092]ＮＲシステムなどのワイヤレス通信システムは、とりわけ、ライセンス、共有、およびアンライセンススペクトル帯域の任意の組合せを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルは、特に、リソースの動的な垂直（例えば、周波数にわたる）および水平（例えば、時間にわたる）の共有を通じて、スペクトル利用およびスペクトル効率を増大させ得る。
【００８３】
[0093]物理ダウンリンク制御チャネル（ＰＤＣＣＨ）は、９個の論理的に連続したリソース要素グループ（ＲＥＧ）で構成され得る制御チャネル要素（ＣＣＥ）においてＤＣＩを搬送し得、ここで、各ＲＥＧは、４個のリソース要素（ＲＥ）を含む。ＤＣＩは、ダウンリンクスケジューリング割当て、アップリンクリソース許可、送信スキーム、アップリンク電力制御、ハイブリッド自動再送要求（ＨＡＲＱ）情報、変調およびコーディングスキーム（ＭＣＳ）に関する情報、ならびに他の情報を含む。ＤＣＩメッセージのサイズおよびフォーマットは、ＤＣＩによって搬送される情報のタイプおよび量に依存して異なり得る。例えば、空間多重化がサポートされる場合、ＤＣＩメッセージのサイズは、連続した周波数割振りと比較して大きい。ＤＣＩサイズおよびフォーマットは、情報の量、ならびに帯域幅、アンテナポートの数、および複信モードなどの要因に依存し得る。
【００８４】
[0094]いくつかの例では、拡張ＰＤＣＣＨ（ＥＰＤＣＣＨ）が用いられ得る。例えば、制御チャネルは、キャリア帯域幅内で周波数分割多重化され得、いくつかのＴＴＩの持続時間に及び得る。ＥＰＤＣＣＨは、拡張制御チャネル要素（ＥＣＣＥ）によって特徴付けられ得る。ＥＣＣＥは、制御チャネル要素（ＣＣＥ）とは異なる数のＲＥＧを有し得、ＲＥＧは、連続的であることも、連続的でないこともあり得る。
【００８５】
[0095]ＰＵＣＣＨは、コードと２つの連続したリソースブロックとによって定義される制御チャネルにマッピングされ得る。アップリンク制御シグナリングは、セルのためのタイミング同期の存在に依存し得る。スケジューリング要求（ＳＲ）およびチャネル品質インジケータ（ＣＱＩ）報告のためのＰＵＣＣＨリソースは、無線リソース制御（ＲＲＣ）シグナリングを通じて割り当てられ（および取り消され（revoked））得る。いくつかのケースでは、ＳＲのためのリソースは、ランダムアクセスチャネル（ＲＡＣＨ）プロシージャを通じて同期を獲得した後に割り当てられ得る。他のケースでは、ＳＲは、ＲＡＣＨを通じてＵＥ１１５に割り当てられない場合がある（すなわち、同期されたＵＥは、専用のＳＲチャネルを有することも、有さないこともあり得る）。ＳＲおよびＣＱＩのためのＰＵＣＣＨリソースは、ＵＥがもはや同期されなくなったときに失われ得る。
【００８６】
[0096]基地局１０５は、チャネルを効率的にスケジュールするために、ＵＥ１１５からチャネル状態情報を収集し得る。この情報は、チャネル状態報告の形で、ＵＥ１１５から送られ得る。チャネル状態報告は、（例えば、ＵＥ１１５のアンテナポートに基づいて）ダウンリンク送信のために使用されるべきレイヤの数を要求するランクインジケータ（ＲＩ）と、（レイヤの数に基づいて）どのプリコーダ行列が使用されるべきかの選好を示すプリコーディング行列インジケータ（ＰＭＩ）と、使用され得る最も高いＭＣＳを表すＣＱＩとを含み得る。ＣＱＩは、セル固有基準信号（ＣＲＳ）またはチャネル状態情報基準信号（ＣＳＩ−ＲＳ）などの所定のパイロットシンボルを受信した後に、ＵＥ１１５によって計算され得る。ＲＩおよびＰＭＩは、ＵＥ１１５が空間多重化をサポートしない（またはサポート空間モードにない）場合、除外され得る。報告に含まれる情報のタイプは、報告タイプを決定する。チャネル状態報告は、周期的または非周期的であり得る。すなわち、基地局１０５は、定期的な間隔で周期的報告を送るようにＵＥ１１５を構成し得、そしてまた、必要に応じて追加の非周期的報告を要求し得る。非周期的報告は、セル帯域幅全体にわたるチャネル品質を示す広帯域報告、特定のサブバンドの、もしくはセル帯域幅のサブセットのチャネルの品質を示す、ＵＥにより選択された報告、または報告されるサブバンドが基地局１０５によって選択される構成された報告を含み得る。
【００８７】
[0097]ＵＥ１１５は、干渉を緩和し、アップリンクデータレートを改善し、バッテリー寿命を延長するために、送信電力をサービング基地局１０５と協調させ得る。アップリンク電力制御は、開ループおよび閉ループメカニズムの組合せを含み得る。開ループ電力制御では、ＵＥ送信電力は、ダウンリンク経路損失の推定値とチャネル構成とに依存し得る。閉ループ電力制御では、ＵＥ送信電力は、ネットワークからの明示的な電力制御コマンドを使用して制御または調整され得る。開ループ電力制御は、初期アクセスのために使用され得、一方、開ループ制御と閉ループ制御の両方は、アップリンク制御およびデータ送信のために使用され得る。ＵＥ１１５は、最大送信電力リミット、ターゲット基地局受信電力、経路損失、ＭＣＳ、送信のために使用されるリソースの数、および送信されるデータのフォーマット（例えば、ＰＵＣＣＨフォーマット）を考慮に入れるアルゴリズムを使用して、電力を決定し得る。すなわち、ＵＥ１１５は、現在の送信のために使用されている電力に加えて、ＵＥ１１５が使用するための残された送信電力の量に関するインジケーションを基地局１０５に送信し得る（例えば、ＰＨＲ）。電力調整は、ＴＰＣメッセージを使用して基地局１０５によって行われ得、これは、適宜、ＵＥ１１５の送信電力を増分的に調整し得る。
【００８８】
[0098]ＵＥ１１５はまた、ＵＥ１１５が送信し得るデータまたは送信電力に関する報告を基地局に提供し得る。例えば、ＵＥ１１５は、現在の送信のために使用されている送信電力の量に加えて、ＵＥ１１５が使用するために残された送信電力の量に関するインジケーションを基地局１０５に送信し得る（例えば、電力ヘッドルーム報告（ＰＨＲ））。加えて、ＵＥ１１５は、送信を保留しているＵＥ１１５におけるバッファされたデータの量を示すバッファステータス報告（ＢＳＲ）を基地局１０５に送り得る。
【００８９】
[0099]ワイヤレス通信システム１００は、受信されたＤＣＩメッセージ（例えば、これはまた、１つまたは複数のアップリンク許可および／またはダウンリンク許可を含み得る）に基づいて、送信電力制御コマンド（例えば、ＴＰＣコマンド）と、（例えば、ＰＵＣＣＨ上で搬送されるか、またはＰＵＳＣＨ上で搬送される）アップリンク制御情報（ＵＣＩ）の送信とを適用し得る。例えば、ＵＥ１１５は、ＴＴＩ（例えば、サブフレーム）中に、基地局１０５からＤＣＩメッセージを受信し得る。ＤＣＩメッセージは、ＵＥ１１５が後続のＴＴＩに適用し得るＴＰＣコマンドを含み得る。後続のＴＴＩは、ＤＣＩメッセージの許可によって割り振られかつ基地局１０５に送信するためにＵＥ１１５によって使用されるリソースを含み得る。ＵＥ１１５はまた、ＤＣＩメッセージが受信されてからいくつかのＴＴＩ後のＴＴＩに（a TTI a number of TTIs after the DCI message is received）、ＴＰＣを適用し得る。いくつかのケースでは、ＵＥ１１５は、２段階許可の一部として、ＤＣＩメッセージ中でトリガを受信し得、ＴＰＣの適用および割り振られたリソース上での送信は、トリガに基づき得る。
【００９０】
[0100]図２は、本開示の様々な態様による、複数のＤＣＩメッセージにわたるＴＰＣコマンド処理をサポートするワイヤレス通信システム２００の例を例示する。いくつかの例では、ワイヤレス通信システム２００は、ワイヤレス通信システム１００の態様をインプリメントし得る。ワイヤレス通信システム２００は、基地局１０５−ａおよびＵＥ１１５−ａを含み得、これらは、図１を参照して説明されたような対応するデバイスの例であり得る。
【００９１】
[0101]ワイヤレス通信システム２００は、基地局１０５−ａからＵＥ１１５−ａへのダウンリンク通信２０５と、ＵＥ１１５−ａから基地局１０５−ａへのアップリンク通信２１０とをサポートし得る。ダウンリンク送信（例えば、ダウンリンク通信２０５）は、ＤＣＩメッセージ２１５を含み得る。ＤＣＩメッセージ２１５は、アップリンク許可、アップリンク電力制御、ダウンリンク許可、スケジューリング割当て、および送信スキームに関する情報を含み得る。例えば、ＤＣＩメッセージ２１５は、後続のアップリンク通信２１０のためのＴＰＣ情報（例えば、ＴＰＣメッセージ、ＴＰＣコマンドなど）を含み得る。すなわち、ＤＣＩメッセージ２１５は、アップリンク制御情報２２０のためのＴＰＣコマンドを含み得る。アップリンク制御情報２２０は、ＰＵＣＣＨ上、または、例えば、ＵＣＩ−ｏｎ−ＰＵＳＣＨのケースでは、ＰＵＳＣＨ上で送られ得、ＰＵＣＣＨ  ＡＣＫ（例えば、ＡＣＫを搬送するＰＵＣＣＨ）、またはＰＵＳＣＨ上で送られるＡＣＫなどを含み得る。ＤＣＩメッセージ２１５が、ダウンリンク許可を含み、（例えば、許可によって示されるＰＤＳＣＨリソースに対応するＡＣＫのための）ＰＵＣＣＨを指し示す（例えば、そのためのＴＰＣコマンドを含む）ケースでは、ＤＣＩメッセージ２１５は、ダウンリンクＤＣＩと呼ばれ得る。ＤＣＩメッセージ２１５が、アップリンク許可を含み、ＰＵＳＣＨを指し示す（例えば、そのためのＴＰＣコマンドを含む）ケースでは、ＤＣＩメッセージ２１５は、アップリンクＤＣＩと呼ばれ得る。いくつかの例では、ＤＣＩメッセージ２１５は、ＰＤＣＣＨに含まれ得る（例えば、ダウンリンク通信２０５は、ＰＤＣＣＨ、アップリンク許可、ダウンリンク許可などを含み得、これらは、ＤＣＩメッセージ２１５を含み得る）。ＤＣＩメッセージ２１５はまた、ＰＤＳＣＨ（例えば、他のダウンリンク通信）および／またはＰＵＣＣＨ、ＰＵＳＣＨなどのアップリンク送信のための制御情報を含み得る。
【００９２】
[0102]いくつかのケースでは、複数のＴＰＣコマンドがアップリンク送信（例えば、アップリンク制御情報）に適用されるとき、アップリンク送信のための最終の有効なＴＰＣコマンドを決定するために、個々のステップ（例えば、各ＴＰＣコマンド）が考慮され得る（例えば、加算される、平均化されるなど）。複数のＴＰＣコマンドを適用することは、送信電力のより微細なチューニングを可能にし得、より微細な粒度でＵＣＩのための送信電力を制御するために使用され得る。他のケースでは、アップリンク送信のための異なるＴＰＣコマンドまたはＤＣＩにおける変更は、アップリンク送信のための前のＴＰＣコマンドを更新し得るか、またはアップリンク送信の何らかの送信属性への変更を示し得る。このことは、アップリンク送信属性の増大した制御（例えば、送信電力、ＰＵＣＣＨフォーマット、ＵＣＩペイロード、ＰＵＣＣＨリソース割振り、ＰＵＳＣＨリソース割振り、スロットまたはミニスロット構造またはフォーマットなどを制御または更新するための増大した柔軟性）を可能にし得る。いくつかのケースでは、アップリンク制御情報に対応する複数のＤＣＩ中のＴＰＣは、同じＴＰＣになるように制限され得る。
【００９３】
[0103]図２の例では、基地局１０５−ａは、ＵＥ１１５−ａがアップリンク通信２１０を介して（例えば、ＡＣＫまたは否定確認応答（ＮＡＣＫ）を用いて）確認応答し得るダウンリンク通信２０５を送信し得る。例えば、アップリンク通信２１０は、フィードバックアップリンク制御情報２２０を含み得、これは、基地局１０５−ａから受信されたＰＤＳＣＨ上の１つまたは複数の送信に対応するＡＣＫを含み得る。基地局１０５−ａは、ＰＤＣＣＨおよび／またはＰＤＳＣＨ（例えば、ダウンリンク通信２０５）にＤＣＩメッセージ２１５（これは、少なくともＤＣＩメッセージ２１５−ａ、ＤＣＩメッセージ２１５−ｂなどを含む、複数のＤＣＩメッセージであり得る）を含め得、これは、アップリンク制御情報２２０に対してどの電力を使用すべきかをＵＥ１１５−ａに示すＴＰＣコマンドを含み得る。いくつかのケースでは、アップリンク制御情報２２０は、複数のダウンリンク送信に対応し得（例えば、アップリンク制御情報は、複数のＰＤＳＣＨ送信に対する複数のＡＣＫを含み得）、各ダウンリンク送信は、ＤＣＩに対応し得る。したがって、アップリンク制御情報２２０は、複数のＤＣＩメッセージ（および、例えば、複数のＴＰＣコマンド）に関連付けられ得る。いくつかのケースでは、複数のＴＰＣコマンドは、アップリンク制御情報２２０についての同じ送信電力変更情報を示し得る。他のケースでは、複数のＴＰＣコマンドは異なり得（例えば、異なる送信電力変更量を識別し）、ＵＥ１１５−ａは、本明細書で説明されるように、アップリンク制御情報２２０のための複数のＴＰＣコマンドを処理し得る。
【００９４】
[0104]アップリンク送信のための（例えば、複数のＤＣＩメッセージ２１５にわたる）複数のＴＰＣコマンドを受信するＵＥ１１５−ａは、有効なＴＰＣを、受信された複数のＴＰＣコマンドの関数として（as a function of）使用し得る。例えば、基地局１０５−ａは、送信電力を変えるように（例えば、送信電力を増大または低減させるように）ＵＥ１１５−ａに示すＴＰＣコマンドを送り得る。したがって、ＵＥ１１５−ａは、複数のＴＰＣコマンドを累積的に使用し得る。ＵＥ１１５−ａは、アップリンク送信に関連付けられたＴＰＣコマンドを合算し得、合計をアップリンク送信のための有効なＴＰＣコマンドとして使用し得る（例えば、ＵＥ１１５−ａは、アップリンク制御情報２２０の何らかの送信に関連付けられた複数のＤＣＩメッセージ２１５からのＴＰＣコマンドを累算または加算し得る）。ＴＰＣがこのような累算モードに従って構成される場合、ＵＥ１１５−ａは、前の送信の電力に基づいて、段階的な（step-by-step）電力調整を実行し得る。例えば、各ＴＰＣは、前のＴＰＣに対する電力ステップをシグナリングし得、これは、送信電力のより微細なチューニングを可能にし得る。
【００９５】
[0105]ＴＰＣのための累算モードでは、ＵＥ１１５−ａが、＋１ｄＢの電力オフセットをシグナリングする第１のＴＰＣコマンドを受信し、後続のＤＣＩメッセージ２１５中で、＋３ｄＢの電力オフセットをシグナリングする第２のＴＰＣコマンドを受信した場合、ＵＥ１１５−ａは、２つの電力オフセットの合計（すなわち、＋４ｄＢ）に対応する電力オフセットを適用し得る。別の例として、ＵＥ１１５−ａは、０ｄＢの電力オフセット（例えば、前の電力への変更なし）をシグナリングするＴＰＣコマンドを受信し得、これにより、基地局１０５−ａは、意図されたＴＰＣを第１のＤＣＩメッセージ２１５中でスケジュールし得、元のＴＰＣコマンドが変更または更新され得ない限り、同じアップリンク送信に関連付けられた後続のＤＣＩメッセージ２１５中でＴＰＣ＝０ｄＢを設定し得る。さらに、複数のＤＣＩメッセージ２１５を介した複数のＴＰＣコマンドの利用は、１つのＴＰＣコマンドから次のものへのステップサイズの異なる解釈を可能にし得、より微細な粒度での電力のチューニングを可能にする。例えば、ステップサイズを低減させることは、より大きい粒度で達成可能な電力制御のものと同じ範囲をもたらし得る。いくつかのケースでは、ステップサイズは、（例えば、ＵＥがダウンリンク割当てインデックス（ＤＡＩ：downlink assignment index）を使用して決定し得る）同じアップリンク送信を指し示すＤＣＩの数の関数であり得る。例えば、３つのＤＣＩメッセージ２１５がアップリンク送信を指し示す場合、各々が＋１／３ｄＢチューニングとして解釈され得るか、あるいは、第１のものが＋１ｄＢチューニングとして解釈され得、第２のものが＋１／３ｄＢチューニングとして解釈され得、第３のものが−１／３ｄＢチューニングとして解釈され得る、など。このような技法は、さらなるＤＣＩメッセージ２１５がスケジュールされるにつれて、基地局１０５−ａにＴＰＣを修正するためのさらなる柔軟性を提供し得る。
【００９６】
[0106]いくつかのケースでは、最も直近のＴＰＣコマンドが、アップリンク送信のための有効なＴＰＣとして使用され得る。例えば、基地局１０５−ａは、所与のアップリンク送信についての前のＴＰＣコマンドを更新または変更するために、後続のＤＣＩメッセージ２１５を使用し得る。前のＴＰＣコマンドは、ＵＥ１１５−ａによって事実上（effectively）無視され得、最も直近のＴＰＣコマンドが、アップリンク制御情報２２０の送信電力のために使用され得る。本明細書で説明されるように、変化する（varying）ＴＰＣコマンドまたはＤＣＩメッセージ、異なっているＴＰＣコマンドまたはＤＣＩメッセージ、更新されたＴＰＣコマンドまたはＤＣＩなどは、何らかのアップリンク送信に関連付けられた複数のＴＰＣコマンドまたはＤＣＩメッセージのコンテキストにおいて、前のＴＰＣコマンドまたはＤＣＩメッセージからの変更を指し得る（例えば、後続のＤＣＩは、前のＤＣＩにおいてアップリンク送信のために前に示されたものとは異なる、アップリンク送信のためのＴＰＣコマンドを示す）。このような変更または異なっているＴＰＣコマンドは、電力レベルを更新または他の方法で変更する、電力レベルをチューニングする、他の送信属性における変更を示すなどのために使用され得る。
【００９７】
[0107]いくつかの例では、アップリンク送信のための複数のＴＰＣコマンドは、名目上または概して、いくつかのまたはほとんどの状況において、同じである（例えば、同じ電力制御情報を示す）ように制約または制限され得るが、ある特定の条件下では変化することを許可され得る。例えば、アップリンク送信のためのＴＰＣにおける変更を示すＤＣＩメッセージ２１５は、関連付けられたアップリンク送信の１つまたは複数のあらかじめ定義された属性を変更し得る。アップリンク制御情報（ＵＣＩ）ペイロード（例えば、アップリンク制御情報２２０ペイロード）は、しきい値を超えて増大し得、これは、基地局１０５−ａからの更新されたＴＰＣコマンドをもたらし得る。いくつかの例では、ＵＣＩペイロードは、ＰＵＳＣＨまたはＰＵＣＣＨ上で送信され得る。より多くのパケットがＡＣＫされるべきである場合、または非周期的ＣＱＩフィードバックトリガが、ＣＱＩシンボルをＡＣＫペイロードと共に含まれるようにさせることにより、ＵＣＩペイロードは、増大し得、ＴＰＣコマンドは、送信のための増大された電力を示し得る。さらに、ＰＵＣＣＨリソース割当て（例えば、リソースブロックの数、直交周波数分割多重（ＯＦＤＭ）シンボルの数など）が変化した場合、ＴＰＣコマンドは、アップリンク送信のための後続のＤＣＩメッセージ２１５において更新され得る。追加または代替として、ＰＵＣＣＨフォーマットまたはリソースプールが変化した場合、ＴＰＣコマンドは、アップリンク送信のための後続のＤＣＩメッセージ２１５において更新され得る。ＴＰＣにおける変更を示すＤＣＩメッセージ２１５がこれらの規則に従わない場合、新しいまたは異なるＴＰＣコマンドは、いくつかのケースでは、ＵＥ１１５−ａによって無視され得る。例えば、異なっているＴＰＣコマンドは、ＤＣＩメッセージ２１５の復号の際に、誤った巡回冗長検査（ＣＲＣ）パスとして取り扱われ得、ここで、同じアップリンク通信のための他のＤＣＩメッセージとは異なるＴＰＣコマンドを有するＤＣＩメッセージのうちの１つは、そのＤＣＩメッセージのＴＰＣコマンドが誤っていることを示し得る。
【００９８】
[0108]いくつかのケースでは、本明細書で説明される技法は、ＰＵＳＣＨ送信上のＵＣＩ（例えば、ＰＵＳＣＨ上でピギーバックされる（piggybacked）ＵＣＩ）に適用され得る。例えば、アップリンク制御情報（例えば、ＰＵＣＣＨ  ＡＣＫと呼ばれ得る、ＰＵＣＣＨ上で送られるべきＡＣＫ）を指し示す複数のダウンリンクＤＣＩ（例えば、ＰＤＳＣＨのためのＤＣＩ）は、ＰＵＳＣＨ送信を指し示すアップリンクＤＣＩ（例えば、ＰＵＳＣＨのためのＤＣＩ）と共に、ＡＣＫがＰＵＳＣＨ上のＵＣＩを使用して送られるべきであることを示し得る。ＰＵＣＣＨ  ＡＣＫを指し示すＴＰＣコマンドは、ＰＵＳＣＨ  ＴＰＣに追加され得る（例えば、アップリンクＤＣＩと共に含まれる）。いくつかのケースでは、ＰＵＣＣＨ  ＡＣＫを指し示すＴＰＣは、無視され得る。他のケースでは、最も直近のＴＰＣコマンドが適用され得る。
【００９９】
[0109]いくつかのケースでは、アップリンク通信のための送信電力は、ＵＥ１１５によるアップリンク通信のＤＴＸ送信に基づいて修正され得る。例えば、ＤＣＩは、アップリンク送信をスケジュールし得、そしてそれは、ＴＰＣコマンドを含み得る。次いで、後のＤＣＩメッセージが、より高い優先度の部分的にオーバーラップするアップリンク送信（例えば、低レイテンシもしくはミッションクリティカル送信、または他の超低レイテンシタイプ送信）をスケジュールし、第１のアップリンク送信の部分的なＤＴＸを引き起こし得る。このようなケースでは、間欠送信される（ＤＴＸされる）アップリンク送信のための送信電力は、アップリンク送信のＤＴＸされる部分（例えば、遅延またはドロップされる）からの電力損失を考慮するように修正され得、送信のＤＴＸされない部分のための送信電力は、増大され得る。したがって、（例えば、ＤＴＸされた）元のアップリンク送信の総電力は、ＤＴＸがない場合の電力レベルと同様のままであり得る。このような技法は、アップリンク送信を受信するワイヤレスデバイスにおいて（例えば、ＤＴＸされた送信がより高い電力レベルに関連付けられていることを予期している基地局において）、電力スペクトル密度（ＰＳＤ）関連の問題の発生を低減させ得る。いくつかのケースでは、このようなＴＰＣ修正は、ＵＥ電力ヘッドルームの可用性の影響を受け得る。このようなＴＰＣ修正（例えば、電力ブースト）の適用性がまた、オーバーラップするアップリンク送信および対応する送信をスケジュールする２つのＤＣＩ許可の相対的なタイミングに基づいて制限され得る。例えば、後の許可の到着が遅すぎた場合、第１のアップリンク送信は、既に開始されている可能性がある（例えば、進行中の第１のアップリンク送信は、たとえその一部がＤＴＸにより失われることになったとしても、送信中にその電力を変更することができない可能性がある）。このような電力における変更は、変更の前と後との間でアップリンク送信のための位相コヒーレンスの損失をもたらし得る。したがって、ＵＥ１１５−ａが部分的なＤＴＸに反応し、対応する電力ブーストを適用する（例えば、それに応じてＴＰＣを修正する）ための十分な時間が必要であり得る。いくつかのケースでは、最小アドバンス通知（minimum advance notification）が課され得る（例えば、部分的なＤＴＸを示す第２の許可は、第１の送信の開始時点から何らかの最小時間だけ前の時点よりも遅く、例えば、送信の開始時点から最小数のＯＦＤＭシンボルだけ前の時点よりも遅く、到着すべきではない）。いくつかの例では、この最小値は、図４を参照してさらに説明されるように、アップリンク許可と対応するアップリンク送信との間で、またはＰＤＳＣＨとアップリンク上のその対応するＡＣＫとの間で使用される最小数のＯＦＤＭシンボルと同じであり得る。
【０１００】
[0110]いくつかの例では、ＵＥ１１５−ａは、基地局１０５−ａから受信された送信電力制御をいつ適用すべきかを決定するために、アップリンク許可を使用し得る。いくつかのケースでは、許可は、アップリンク送信のための送信タイムラインを提供し得る。すなわち、ＵＥ１１５−ａへのリソースの割当ては、ＴＰＣのためのタイムラインを指定し得る。このようなケースでは、許可が受信されるときと、ＵＥ１１５−ａがアップリンク送信のためにＴＰＣを適用するときとの間のタイムラインは、異なるリソース割当てに対して可変であり得る（例えば、固定ではない）。ＵＥ１１５−ａは、代替として、何らかの所定の規則に従って、後続のサブフレーム（例えば、許可がサブフレームｎにおいて受信される場合、サブフレームｎ＋４）においてＴＰＣコマンドを適用し得、ここで、ＴＰＣは、たとえその許可に対応するアップリンク送信が後の時間（例えば、サブフレームｎ＋４の後）まで行われなかったとしても、そのサブフレーム（例えば、サブフレームｎ＋４）および後続の送信において適用され得る。
【０１０１】
[0111]図３は、本開示の様々な態様による、複数のＤＣＩメッセージにわたるＴＰＣコマンド処理をサポートする送信電力調整スキーム３００の例を例示する。いくつかの例では、送信電力調整スキーム３００は、ワイヤレス通信システム１００の態様をインプリメントし得る。送信電力調整スキーム３００は、図１および図２を参照して説明されたようなＵＥ１１５によって利用され得る。例えば、ＵＥ１１５は、送信電力調整スキーム３００に従って、受信されたＤＣＩメッセージ３１５中に含まれる１つまたは複数のＴＰＣコマンド３２５に基づいて、送信電力を調整し得る。
【０１０２】
[0112]送信電力調整スキーム３００は、ＵＥ１１５と基地局１０５との間の通信のために使用されるいくつかのＴＴＩ３１０（例えば、サブフレーム）を含むフレーム３０５を含み得る。例えば、フレーム３０５は、基地局１０５からのダウンリンク送信およびＵＥ１１５からのアップリンク送信のために使用されるいくつかのＴＴＩ３１０（例えば、ＴＴＩ３１０−ａ、ＴＴＩ３１０−ｂ、ＴＴＩ３１０−ｃなど）を含み得る。加えて、フレーム３０５は、共有またはアンライセンススペクトルにおけるアップリンクおよびダウンリンク通信のために使用され得るいくつかの異なるキャリアまたはトーンを含み得る。いくつかのケースでは、基地局は、（例えば、各々がＴＰＣコマンド３２５を含み得る）異なるＤＣＩメッセージでスケジュールされ得る複数のダウンリンク送信（例えば、ＴＴＩ３１０−ａ中にＰＤＳＣＨおよびＴＴＩ３１０−ｂ中にＰＤＳＣＨ）を各々が送信し得る。それに応答して、ＵＥは、複数の受信されたＰＤＳＣＨ送信に対して単一のＰＵＣＣＨ中でアップリンクフィードバック情報（例えば、ＡＣＫ／ＮＡＣＫ）を送信し得る（例えば、ＴＴＩ３１０−ｃ中に送信され、ＰＵＳＣＨ上でピギーバックされるＵＣＩまたはＰＵＣＣＨのＵＣＩペイロードは、ＴＴＩ３１０−ａおよびＴＴＩ３１０−ｂ中に受信された送信のためのＡＣＫを含み得、これは、ＰＤＳＣＨ送信、アップリンク／ダウンリンク許可などの何らかの組合せを含み得る）。
【０１０３】
[0113]ＵＥ１１５は、ＴＴＩ３１０−ａ中に第１のＤＣＩメッセージ３１５−ａを受信し得、ＤＣＩメッセージ３１５−ａは、基地局１０５からの送信電力コマンド（例えば、ＴＰＣコマンド３２５）を含み得る。いくつかのケースでは、ＤＣＩ（例えば、ＤＣＩメッセージ３１５−ａ）は、ＵＥ１１５が基地局１０５に送信するために使用し得るリソースの割当てをさらに含み得る。ＤＣＩメッセージ３１５−ａはまた、後続のＴＴＩ３１０のためのタイミング情報またはタイミングのインジケーションを含み得る。タイミング情報は、アップリンク通信のための後続のＴＴＩ３１０がいつ発生するかをＵＥ１１５に示し得る。受信されたＤＣＩメッセージおよびリソースの割当てに基づいて、ＵＥ１１５は、アップリンク送信（例えば、これは、ＤＣＩまたはＴＰＣコマンドを搬送するＰＤＣＣＨに応答して、アップリンク制御情報、ＡＣＫなどを含み得る）のためのＴＴＩ３１０−ｃ中にＴＰＣコマンド３２５を適用し得る。すなわち、ＴＰＣコマンド３２５は、ＵＥ１１５によるアップリンク送信のために使用されるサブフレームにおいて適用され得、ここで、アップリンク送信のために使用されるサブフレームは、（例えば、リソース割当てによって指定される時間において）受信されたＤＣＩによって割り当てられるリソースを含み得る。
【０１０４】
[0114]加えて、ＵＥ１１５は、ＴＴＩ３１０−ｂ中に第２のＤＣＩメッセージ３１５−ｂを受信し得、ＤＣＩメッセージ３１５−ｂは、基地局１０５からの第２の送信電力コマンド（例えば、ＴＰＣコマンド３２５）を含み得る。いくつかのケースでは、第２のＴＰＣコマンドは、第１のＴＰＣコマンドとは異なるか、またはそれと一致し得、本明細書で説明される技法に従って、ＵＥによって処理され得る。いくつかのケースでは、ＤＣＩメッセージ３１５−ｂは、ＵＥ１１５が基地局１０５に送信するために使用し得るリソースの割当てをさらに含み得る。ＤＣＩメッセージ３１５−ｂはまた、後続のＴＴＩ３１０のためのタイミング情報またはタイミングのインジケーションを含み得る。タイミング情報は、アップリンク通信のための後続のＴＴＩ３１０がいつ発生するかをＵＥ１１５に示し得る。
【０１０５】
[0115]受信されたＤＣＩメッセージおよびリソースの割当てに基づいて、ＵＥ１１５は、アップリンク送信（例えば、これは、ＤＣＩまたはＴＰＣコマンドを搬送するＰＤＣＣＨに応答して、アップリンク制御情報、ＡＣＫなどを含み得る）のためのＴＴＩ３１０−ｃ中に複数のＴＰＣコマンド３２５を適用し得る。すなわち、ＴＰＣコマンド３２５は、ＵＥ１１５によるアップリンク送信のために使用されるサブフレームにおいて適用され得、ここで、アップリンク送信のために使用されるサブフレームは、（例えば、リソース割当てによって指定される時間において）１つまたは複数の受信されたＤＣＩによって割り当てられるリソースを含む。複数のＴＰＣコマンドは、（例えば、図１および図２を参照して）本明細書で説明された技法に従って処理され得る。
【０１０６】
[0116]図４Ａおよび図４Ｂは、ＤＴＸシナリオのＴＰＣ修正および処理の態様を例示する。ＤＴＸ処理スキーム４００およびＤＴＸ処理スキーム４０１は、本開示の様々な態様による、複数のＤＣＩメッセージにわたるＴＰＣコマンド処理をサポートし得る。いくつかの例では、ＤＴＸ処理スキーム４００およびＤＴＸ処理スキーム４０１は、図１〜図３の態様をインプリメントし得る。
【０１０７】
[0117]図４Ａおよび図４Ｂは、オーバーラップするアップリンク送信をスケジュールするＤＣＩ許可の態様と、ＵＥ１１５が、ＤＴＸされた（例えば、優先送信によって中断または断絶された）送信をどのようにＴＰＣ修正（例えば、電力ブースト）し得るかとを例示し得る。このようなケースでは、第１の許可は、第１の送信のためのリソースおよびＴＰＣコマンドを示し得、第２の許可は、第１の送信の一部分と時間的にオーバーラップする第２の送信のためのリソースおよびＴＰＣコマンドを示し得る。いくつかのケースでは、第２の送信は、低レイテンシ送信、ミッションクリティカル送信、または第１の送信よりも高い優先度をもつ何らかの他の送信であり得る。
【０１０８】
[0118]例えば、ＤＣＩは、アップリンク送信をスケジュールし得、アップリンク送信のためのＴＰＣコマンドを含み得る。次いで、後のＤＣＩが、より高い優先度の部分的にオーバーラップするアップリンク送信をスケジュールし、第１のアップリンク送信の部分的なＤＴＸを引き起こし得る。このようなケースでは、ＴＰＣは、ＤＴＸからの電力損失を考慮するように修正され得、送信のＤＴＸされない部分のための送信電力は、増大され得る。したがって、（例えば、ＤＴＸされた）元のアップリンク送信の総電力は、ＤＴＸがない場合の電力レベルと同様のままであり得る（例えば、間欠送信の残っている部分の電力ブーストは、ＤＴＸされた送信の間欠部分にもはや提供されなくなった電力を考慮し得る（account for））。このような技法は、アップリンク送信を受信するワイヤレスデバイスにおいて（例えば、ＤＴＸされた送信がより高い電力レベルに関連付けられていることを予期している基地局において）、電力スペクトル密度（ＰＳＤ）関連の問題の発生を低減させ得る。
【０１０９】
[0119]いくつかのケースでは、このようなＴＰＣ修正は、ＵＥ電力ヘッドルームの可用性の影響を受け得る。このようなＴＰＣ修正（例えば、電力ブースト）の適用性が、オーバーラップするアップリンク送信および対応する送信をスケジュールする２つのＤＣＩ許可の相対的なタイミングに基づいて制限され得る。例えば、後の許可の到着が遅すぎた場合、第１のアップリンク送信は、既に開始されている可能性がある（例えば、進行中の第１のアップリンク送信は、たとえその一部がＤＴＸにより失われることになったとしても、送信中にその電力を変更することができない可能性がある）。このような電力における変更は、変更の前と後でアップリンク送信のための位相コヒーレンスの損失をもたらし得る。したがって、ＵＥ１１５−ａが部分的なＤＴＸに反応し、対応する電力ブーストを適用する（例えば、それに応じてＴＰＣを修正する）ための十分な時間が必要であり得る。いくつかのケースでは、最小アドバンス通知が課され得る（例えば、部分的なＤＴＸを示す第２の許可は、送信の開始時点から何らかの最小数のＯＦＤＭシンボルだけ前の時点よりも遅く、到着すべきではない）。
【０１１０】
[0120]図４Ａおよび図４Ｂは、ＤＴＸシナリオにおけるＴＰＣ修正のためのそのような最小要件の態様を例示する。すなわち、ＴＰＣ修正のための最小値は、アップリンク許可４１５と、アップリンクデータ４２０の対応する送信との間（例えば、Ｋ２またはＮ２能力（capability））で、またはＰＤＳＣＨ（例えば、ダウンリンクデータ４０５）とその対応するアップリンクＡＣＫ４１０との間（例えば、Ｋ１またはＮ１能力）で必要とされる最小数のＯＦＤＭシンボル４２５と同様であり得る。Ｋ１は、（例えば、スロットを単位として）ダウンリンクデータ４０５からアップリンクＡＣＫ４１０までの間のタイミングを示し得る。Ｋ２は、（例えば、スロットを単位として）アップリンク許可４１５とアップリンクデータ４２０との間のタイミングを示し得る。Ｎ１は、ＵＥ１１５の観点から、ＰＤＳＣＨ受信（例えば、ダウンリンクデータ４０５の受信）の終了から、対応するアップリンクＡＣＫ／ＮＡＣＫ送信（例えば、アップリンクＡＣＫ４１０）の最も早い可能な開始までのＵＥ１１５の処理に必要なＯＦＤＭシンボル４２５の数を指し得る。Ｎ２は、ＵＥ１１５の観点から、アップリンク許可４１５の受信を含むＰＤＣＣＨの終了から、対応するアップリンクＰＵＳＣＨ送信（例えば、アップリンクデータ４２０）の最も早い可能な開始までのＵＥ１１５の処理に必要なＯＦＤＭシンボル４２５の数を指し得る。図４Ａおよび図４Ｂの例は、Ｎ１およびＮ２が４つのＯＦＤＭシンボル４２５に等しいことを例示し、これは例示的な目的のみのために示されている。Ｎ１、Ｎ２、Ｋ１、およびＫ２は、それらがＵＥ１１５の能力に依存し得るので、異なる値を有し得る。ＵＥ１１５は、ＴＰＣ修正技法（例えば、電力ブースト、ＰＳＤ補正など）を、第２の許可（例えば、第１の送信のＤＴＸをもたらす優先送信のための許可）のタイミングが、ＵＥ１１５がそれを行うことを可能にするシナリオにおいて用い得る。
【０１１１】
[0121]すなわち、ＤＴＸされた送信のためのＴＰＣ修正技法は、（例えば、優先された第２の送信と、第１の送信のＤＴＸとを示す）ダウンリンクデータ４０５と、アップリンクＡＣＫ４１０（例えば、ＤＴＸされた送信）との間のシンボルの数がＮ１以上であるときに用いられ得る。加えて、ＤＴＸされた送信のためのＴＰＣ修正技法は、（例えば、優先された第２のアップリンク送信と、第１の送信のＤＴＸとを示す）アップリンク許可４１５と、アップリンクデータ４２０（例えば、ＤＴＸされた送信）との間のシンボルの数がＮ２以上であるときに用いられ得る。ダウンリンクデータ４０５／アップリンク許可４１５と、アップリンクＡＣＫ４１０／アップリンクデータ４２０との間に十分なタイミング／ＯＦＤＭシンボル（例えば、Ｋ１およびＮ１／Ｋ２およびＮ２以上）が存在するＤＴＸシナリオでは、ＴＰＣ修正が用いられ得る。
【０１１２】
[0122]図５は、本開示の様々な態様による、複数のＤＣＩメッセージにわたるＴＰＣコマンド処理をサポートするプロセスフロー５００の例を例示する。いくつかの例では、プロセスフロー５００は、ワイヤレス通信システム１００の態様をインプリメントし得る。
【０１１３】
[0123]５０５において、基地局１０５−ｂは、ＵＥ１１５−ｂに第１のＤＣＩメッセージを送信し得る。ＤＣＩメッセージは、ＵＣＩ、アップリンクデータ送信、または他のアップリンク送信のためのＴＰＣコマンドを含み得る。
【０１１４】
[0124]５１０において、基地局１０５−ｂは、ＵＥ１１５−ｂに第２のＤＣＩメッセージを送信し得る。ＤＣＩメッセージは、アップリンク送信（例えば、ＵＣＩまたはアップリンクデータ送信）のための第２のＴＰＣコマンドを含み得る。
【０１１５】
[0125]５１５において、ＵＥ１１５−ｂは、５０５および５１０において受信されたＤＣＩメッセージ中に含まれるＴＰＣコマンドの組合せに基づいて、アップリンク送信の送信のための電力調整値を決定し得る。いくつかのケースでは、電力調整値は、５０５および５１０において受信されたＴＰＣコマンドの合計を含み得る。他のケースでは、電力調整値は、最も直近に受信されたＴＰＣコマンド（例えば、５１０において受信されたＴＰＣコマンド）に対応し得る。いくつかのケースでは、受信された各ＴＰＣ値は、受信されたＴＰＣコマンドの数に基づいてスケーリングされ得る。
【０１１６】
[0126]いくつかのケースでは、ＵＥ１１５−ｂは、追加または代替として、５０５および５１０において受信されたＤＣＩメッセージ中でアップリンク送信属性の値を受信し得、ここで、アップリンク送信の属性における変更は、属性の受信された値に基づいて識別される。いくつかのケースでは、アップリンク送信の属性は、ＵＣＩペイロードサイズ、または物理アップリンク制御チャネル（ＰＵＣＣＨ）リソース割当て、またはＰＵＣＣＨフォーマット、またはＰＵＣＣＨリソースプール、またはこれらの組合せを含み得る。
【０１１７】
[0127]５２０において、ＵＥ１１５−ｂは、決定された電力調整値に基づいて、アップリンク送信（例えば、ＵＣＩ、アップリンクデータ送信など）のための送信電力レベルを調整し得る。
【０１１８】
[0128]５２５において、ＵＥ１１５−ｂは、（例えば、調整された送信電力レベルで）基地局１０５−ｂにアップリンク送信を送信し得る。
【０１１９】
[0129]図６は、本開示の様々な態様による、複数のＤＣＩメッセージにわたるＴＰＣコマンド処理をサポートするプロセスフロー６００の例を例示する。いくつかの例では、プロセスフロー６００は、ワイヤレス通信システム１００の態様をインプリメントし得る。
【０１２０】
[0130]６０５において、基地局１０５−ｂは、ＵＥ１１５−ｂに第１のアップリンク許可を送信し得る。アップリンク許可は、第１のアップリンク通信（例えば、第１のアップリンク送信）のためのＴＰＣコマンドを含み得る。
【０１２１】
[0131]６１０において、ＵＥ１１５−ｂは、６０５において受信された許可に従って、基地局１０５−ｂに第１の送信電力レベルで送信されるようにスケジュールされた第１のアップリンク通信を識別し得る。
【０１２２】
[0132]６１５において、ＵＥ１１５−ｂは、第２のアップリンク通信のための第２のアップリンク許可を受信し得、第２のアップリンク通信は、第１のアップリンク通信よりも高い優先度を有する。
【０１２３】
[0133]６２０において、ＵＥ１１５−ｂは、６１０において識別された第１の送信の一部分とオーバーラップし得る第２のアップリンク送信（例えば、より高い優先度の送信）のタイミングを識別し得る。
【０１２４】
[0134]６２５において、ＵＥ１１５−ｂは、第１の送信電力で送信されるようにスケジュールされた第１のアップリンク通信の第１の部分を送信し得、優先された第２の送信と第１の送信とのオーバーラップを識別することに基づいて、第１のアップリンク通信の第２の部分の送信を遅延させ得る。
【０１２５】
[0135]６３０において、ＵＥ１１５−ｂは、第１のアップリンク通信の第１の部分を送信することを決定することに基づいて、第１のアップリンク通信の第１の部分のための第１の送信電力レベルを、第２の送信電力レベルに増大させるかどうかを決定し得る。いくつかのケースでは、この決定は、（例えば、図４を参照してより詳細に説明されたように）第１のアップリンク通信がスケジュールされていたときに関連して、６１５の許可がいつ受信されたかに基づき得る。
【０１２６】
[0136]６３５において、ＵＥ１１５−ｂは、第２の電力レベルで第１のアップリンク送信の第１の部分（例えば、第１のアップリンク通信の第１の部分）を送信し得る。すなわち、ＵＥ１１５−ｂは、ＵＥがそうすることが可能である場合、第１のアップリンク送信の第１の部分を電力ブーストするために、６０５において許可中で受信されたＴＰＣコマンドを修正し得る。
【０１２７】
[0137]図７は、本開示の態様による、複数のＤＣＩにわたるＴＰＣコマンド処理をサポートするワイヤレスデバイス７０５のブロック図７００を示す。ワイヤレスデバイス７０５は、本明細書で説明されたようなＵＥ１１５の態様の例であり得る。ワイヤレスデバイス７０５は、受信機７１０、ＵＥ通信マネージャ７１５、および送信機７２０を含み得る。ワイヤレスデバイス７０５はまた、プロセッサを含み得る。これらのコンポーネントの各々は、（例えば、１つまたは複数のバスを介して）互いと通信状態にあり得る。
【０１２８】
[0138]受信機７１０は、様々な情報チャネル（例えば、制御チャネル、データチャネル、および複数のＤＣＩメッセージにわたるＴＰＣコマンド処理に関連する情報など）に関連付けられた制御情報、ユーザデータ、またはパケットなどの情報を受信し得る。情報は、デバイスの他のコンポーネントへと渡され得る。受信機７１０は、図１０を参照して説明されるトランシーバ１０３５の態様の例であり得る。受信機７１０は、単一のアンテナまたはアンテナのセットを利用し得る。
【０１２９】
[0139]ＵＥ通信マネージャ７１５は、図１０を参照して説明されるＵＥ通信マネージャ１０１５の態様の例であり得る。ＵＥ通信マネージャ７１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、ＵＥ通信マネージャ７１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。ＵＥ通信マネージャ７１５および／またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、ＵＥ通信マネージャ７１５および／またはその様々なサブコンポーネントのうちの少なくともいくつかは、本開示の様々な態様による、別個のおよび異なるコンポーネントであり得る。他の例では、ＵＥ通信マネージャ７１５および／またはその様々なサブコンポーネントのうちの少なくともいくつかは、限定はしないが、本開示の様々な態様に従って、Ｉ／Ｏコンポーネント、トランシーバ、ネットワークサーバ、別のコンピューティングデバイス、本開示で説明される１つまたは複数の他のコンポーネント、あるいはこれらの組合せを含む、１つまたは複数の他のハードウェアコンポーネントと組み合わされ得る。
【０１３０】
[0140]ＵＥ通信マネージャ７１５は、基地局から、ＵＣＩのためのＴＰＣコマンドのセットを含むＤＣＩメッセージのセットを受信し、ＴＰＣコマンドのセットの組合せに基づいて、ＵＣＩのための電力調整値を決定し得る。ＵＥ通信マネージャ７１５は、決定された電力調整値に基づいて、送信電力レベルを調整し、調整された送信電力レベルで、基地局にＵＣＩを送信し得る。ＵＥ通信マネージャ７１５はまた、第１のアップリンク許可に従って、基地局に第１の送信電力レベルで送信されるようにスケジュールされた第１のアップリンク通信を識別し得る。ＵＥ通信マネージャ７１５は、基地局から、第２のアップリンク通信のための第２のアップリンク許可を受信し得、第２のアップリンク通信は、第１のアップリンク通信よりも高い優先度を有する。ＵＥ通信マネージャ７１５は、第２のアップリンク許可を受信することに基づいて、第１の送信電力で送信されるようにスケジュールされた第１のアップリンク通信の第１の部分を送信し、第１のアップリンク通信の第２の部分の送信を遅延させることを決定し得る。ＵＥ通信マネージャ７１５は、第１のアップリンク通信の第１の部分を送信することを決定することに基づいて、第１のアップリンク通信の第１の部分のための第１の送信電力レベルを、第２の送信電力レベルに増大させるかどうかを決定し得る。
【０１３１】
[0141]送信機７２０は、デバイスの他のコンポーネントによって生成された信号を送信し得る。いくつかの例では、送信機７２０は、トランシーバモジュールにおいて受信機７１０とコロケートされ得る。例えば、送信機７２０は、図１０を参照して説明されるトランシーバ１０３５の態様の例であり得る。送信機７２０は、単一のアンテナまたはアンテナのセットを利用し得る。
【０１３２】
[0142]図８は、本開示の態様による、複数のＤＣＩメッセージにわたるＴＰＣコマンド処理をサポートするワイヤレスデバイス８０５のブロック図８００を示す。ワイヤレスデバイス８０５は、図７を参照して説明されたような、ワイヤレスデバイス７０５またはＵＥ１１５の態様の例であり得る。ワイヤレスデバイス８０５は、受信機８１０、ＵＥ通信マネージャ８１５、および送信機８２０を含み得る。ワイヤレスデバイス８０５はまた、プロセッサを含み得る。これらのコンポーネントの各々は、（例えば、１つまたは複数のバスを介して）互いと通信状態にあり得る。
【０１３３】
[0143]受信機８１０は、様々な情報チャネル（例えば、制御チャネル、データチャネル、および複数のＤＣＩメッセージにわたるＴＰＣコマンド処理に関連する情報など）に関連付けられた制御情報、ユーザデータ、またはパケットなどの情報を受信し得る。情報は、デバイスの他のコンポーネントへと渡され得る。受信機８１０は、図１０を参照して説明されるトランシーバ１０３５の態様の例であり得る。受信機８１０は、単一のアンテナまたはアンテナのセットを利用し得る。
【０１３４】
[0144]ＵＥ通信マネージャ８１５は、図１０を参照して説明されるＵＥ通信マネージャ１０１５の態様の例であり得る。ＵＥ通信マネージャ８１５はまた、ＤＣＩマネージャ８２５、ＴＰＣマネージャ８３０、電力レベルマネージャ８３５、アップリンク送信マネージャ８４０、送信マネージャ８４５、および許可マネージャ８５０を含み得る。
【０１３５】
[0145]ＤＣＩマネージャ８２５は、基地局から、ＵＣＩのためのＴＰＣコマンドのセットを含むＤＣＩメッセージのセットを受信し得る。ＤＣＩマネージャ８２５は、アップリンクデータチャネルのための第１のＴＰＣコマンドと、制御チャネル上のＵＣＩのための第２のＴＰＣコマンドとを含むＤＣＩメッセージを受信し得る。ＤＣＩマネージャ８２５は、アップリンクデータチャネルのためのＴＰＣコマンドを含むＤＣＩメッセージを受信し得る。いくつかのケースでは、ＵＣＩのためのＤＣＩメッセージのセットを受信することは、アップリンクデータチャネルのためのＴＰＣコマンドを含む少なくとも１つのＤＣＩメッセージを受信することをさらに含み、ＵＣＩのための電力調整値は、アップリンクデータチャネルのためのＴＰＣコマンドに基づいて決定される。
【０１３６】
[0146]ＴＰＣマネージャ８３０は、ＴＰＣコマンドのセットの組合せに基づいて、ＵＣＩのための電力調整値を決定し得る。
【０１３７】
[0147]電力レベルマネージャ８３５は、決定された電力調整値に基づいて、送信電力レベルを調整し得る。電力レベルマネージャ８３５は、少なくとも１つの属性（例えば、アップリンク送信属性）における変更を識別する前に、ＵＣＩのためのＴＰＣコマンドの第２のセットに基づいて、ＵＣＩのための電力調整値を決定し得る。ＴＰＣコマンドのセットは、単一のＵＣＩに関連付けられたＴＰＣコマンドのための共通のＴＰＣ値を有するように制限され得る。電力レベルマネージャ８３５は、第１のアップリンク通信の第１の部分を送信することを決定することに基づいて、第１のアップリンク通信の第１の部分のための第１の送信電力レベルを、第２の送信電力レベルに増大させるかどうかを決定し得る。電力レベルマネージャ８３５は、第２の送信電力レベルをしきい値電力レベル以下になるように制限し得る。電力レベルマネージャ８３５は、第１の送信電力レベルで、第１のアップリンク通信の第１の部分を送信し得る。電力レベルマネージャ８３５は、第２の送信電力レベルで、第１のアップリンク通信の第１の部分を送信し得る。
【０１３８】
[0148]アップリンク送信マネージャ８４０は、調整された送信電力レベルで、基地局にＵＣＩを送信し得る。いくつかのケースでは、ＵＣＩは、アップリンク制御チャネル上またはアップリンクデータチャネル上の確認応答を含む。
【０１３９】
[0149]送信マネージャ８４５は、第１のアップリンク許可に従って、基地局に第１の送信電力レベルで送信されるようにスケジュールされた第１のアップリンク通信を識別し得る。送信マネージャ８４５は、第２のアップリンク許可を受信することに基づいて、第１の送信電力で送信されるようにスケジュールされた第１のアップリンク通信の第１の部分を送信することを決定し得、第１のアップリンク通信の第２の部分の送信を遅延させ得る。送信マネージャ８４５は、第２の送信電力レベルで、第１のアップリンク通信の第１の部分を送信し得る。
【０１４０】
[0150]許可マネージャ８５０は、基地局から、第２のアップリンク通信のための第２のアップリンク許可を受信し得、第２のアップリンク通信は、第１のアップリンク通信よりも高い優先度を有する。
【０１４１】
[0151]送信機８２０は、デバイスの他のコンポーネントによって生成された信号を送信し得る。いくつかの例では、送信機８２０は、トランシーバモジュールにおいて受信機８１０とコロケートされ得る。例えば、送信機８２０は、図１０を参照して説明されるトランシーバ１０３５の態様の例であり得る。送信機８２０は、単一のアンテナまたはアンテナのセットを利用し得る。
【０１４２】
[0152]図９は、本開示の態様による、複数のＤＣＩメッセージにわたるＴＰＣコマンド処理をサポートするＵＥ通信マネージャ９１５のブロック図９００を示す。ＵＥ通信マネージャ９１５は、図７、図８、および図１０を参照して説明されるＵＥ通信マネージャ７１５、ＵＥ通信マネージャ８１５、またはＵＥ通信マネージャ１０１５の態様の例であり得る。ＵＥ通信マネージャ９１５は、ＤＣＩマネージャ９２０、ＴＰＣマネージャ９２５、電力レベルマネージャ９３０、アップリンク送信マネージャ９３５、送信マネージャ９４０、許可マネージャ９４５、ＴＰＣマネージャ９５０、ＵＣＩ属性マネージャ９５５、および送信時間マネージャ９６０を含み得る。これらのモジュールの各々は、（例えば、１つまたは複数のバスを介して）互いと直接的または間接的に通信し得る。
【０１４３】
[0153]ＤＣＩマネージャ９２０は、基地局から、ＵＣＩのためのＴＰＣコマンドのセットを含むＤＣＩメッセージのセットを受信し得る。ＤＣＩマネージャ９２０は、アップリンクデータチャネルのための第１のＴＰＣコマンドと、制御チャネル上のＵＣＩのための第２のＴＰＣコマンドとを含むＤＣＩメッセージを受信し得る。ＤＣＩマネージャ９２０は、アップリンクデータチャネルのためのＴＰＣコマンドを含むＤＣＩメッセージを受信し得る。いくつかのケースでは、ＵＣＩのためのＤＣＩメッセージのセットを受信することは、アップリンクデータチャネルのためのＴＰＣコマンドを含む少なくとも１つのＤＣＩメッセージを受信することをさらに含み、ＵＣＩのための電力調整値は、アップリンクデータチャネルのためのＴＰＣコマンドに基づいて決定される。
【０１４４】
[0154]ＴＰＣマネージャ９２５は、ＴＰＣコマンドのセットの組合せに基づいて、ＵＣＩのための電力調整値を決定し得る。
【０１４５】
[0155]電力レベルマネージャ９３０は、決定された電力調整値に基づいて、送信電力レベルを調整し得る。電力レベルマネージャ９３０は、ＴＰＣコマンドのセットが、単一のＵＣＩに関連付けられたＴＰＣコマンドのための共通のＴＰＣ値を有するように制限された状態で、少なくとも１つの属性における変更を識別する前に、ＵＣＩのためのＴＰＣコマンドの第２のセットに基づいて、ＵＣＩのための電力調整値を決定し得る。電力レベルマネージャ９３０は、第１のアップリンク通信の第１の部分を送信することを決定することに基づいて、第１のアップリンク通信の第１の部分のための第１の送信電力レベルを、第２の送信電力レベルに増大させるかどうかを決定し得る。電力レベルマネージャ９３０は、第２の送信電力レベルをしきい値電力レベル以下になるように制限し得る。電力レベルマネージャ９３０は、第１の送信電力レベルで、第１のアップリンク通信の第１の部分を送信し得る。電力レベルマネージャ９３０は、第２の送信電力レベルで、第１のアップリンク通信の第１の部分を送信し得る。
【０１４６】
[0156]アップリンク送信マネージャ９３５は、調整された送信電力レベルで、基地局にＵＣＩを送信し得る。いくつかのケースでは、ＵＣＩは、アップリンク制御チャネル上またはアップリンクデータチャネル上の確認応答を含む。
【０１４７】
[0157]送信マネージャ９４０は、第１のアップリンク許可に従って、基地局に第１の送信電力レベルで送信されるようにスケジュールされた第１のアップリンク通信を識別し、第２のアップリンク許可を受信することに基づいて、第１の送信電力で送信されるようにスケジュールされた第１のアップリンク通信の第１の部分を送信することと、第１のアップリンク通信の第２の部分の送信を遅延させることとを決定し、第２の送信電力レベルで、第１のアップリンク通信の第１の部分を送信し得る。
【０１４８】
[0158]許可マネージャ９４５は、基地局から、第２のアップリンク通信のための第２のアップリンク許可を受信し得、第２のアップリンク通信は、第１のアップリンク通信よりも高い優先度を有する。
【０１４９】
[0159]ＴＰＣマネージャ９５０は、電力調整値を決定するために、ＴＰＣ値のセットを合計し、ＴＰＣコマンドのセットの数に基づいて、ＴＰＣ値のセットをスケーリングし得、ここで、ＴＰＣ値のセットを合計することは、スケーリングされたＴＰＣ値のセットを合計することを含む。ＴＰＣマネージャ９５０は、最も直近に受信されたＴＰＣコマンドに基づいて、ＵＣＩのための電力調整値を決定し得る。ＴＰＣマネージャ９５０は、アップリンクデータチャネルのためのＴＰＣコマンドに基づいて、ＵＣＩのためのＴＰＣコマンドのセットのうちの１つまたは複数のＴＰＣコマンドを無視し得、ここで、１つまたは複数のＴＰＣコマンドは、アップリンク制御チャネルのためのものである。いくつかのケースでは、ＴＰＣコマンドのセットの組合せに基づいて、ＵＣＩのための電力調整値を決定することは、ＴＰＣコマンドのセットからＴＰＣ値のセットを識別することを含む。いくつかのケースでは、ＴＰＣコマンドのセットの組合せに基づいて、ＵＣＩのための電力調整値を決定することは、ＴＰＣコマンドのセットのうちの最も直近に受信されたＴＰＣコマンドを識別することを含む。
【０１５０】
[0160]ＵＣＩ属性マネージャ９５５は、ＵＣＩの少なくとも１つの属性における変更を識別し、識別された変更に基づくＴＰＣコマンドのセットの組合せに基づいて、ＵＣＩのための電力調整値を決定し、ＤＣＩメッセージのセットのうちの１つまたは複数の中で、少なくとも１つの属性の値を受信し得、ここで、ＵＣＩの少なくとも１つの属性における変更は、少なくとも１つの属性の受信された値に基づいて識別される。いくつかのケースでは、ＵＣＩの少なくとも１つの属性は、ＵＣＩペイロードサイズ、または物理アップリンク制御チャネル（ＰＵＣＣＨ）リソース割当て、またはＰＵＣＣＨフォーマット、またはＰＵＣＣＨリソースプール、またはこれらの組合せを含む。
【０１５１】
[0161]送信時間マネージャ９６０は、第２のアップリンク許可が、第１のアップリンク通信がＵＥによって送信されることになる時点からしきい値時間量だけ前の時点に満たない時点で、ＵＥによって受信されたことを識別し得、また、第２のアップリンク許可が、第１のアップリンク通信がＵＥによって送信されることになる時点からしきい値時間量だけ前の時点を超えた時点で、ＵＥによって受信されたことを識別し得る。いくつかのケースでは、しきい値時間量は、シンボル期間の数を含む。
【０１５２】
[0162]図１０は、本開示の態様による、複数のＤＣＩメッセージにわたるＴＰＣコマンド処理をサポートするデバイス１００５を含むシステム１０００の図を示す。デバイス１００５は、例えば、図７および図８を参照して、本明細書で説明されたような、ワイヤレスデバイス７０５、ワイヤレスデバイス８０５、またはＵＥ１１５のコンポーネントを含むか、またはその例であり得る。デバイス１００５は、ＵＥ通信マネージャ１０１５、プロセッサ１０２０、メモリ１０２５、ソフトウェア１０３０、トランシーバ１０３５、アンテナ１０４０、およびＩ／Ｏコントローラ１０４５を含む、通信を送信および受信するためのコンポーネントを含む双方向音声およびデータ通信のためのコンポーネントを含み得る。これらのコンポーネントは、１つまたは複数のバス（例えば、バス１０１０）を介して電子通信状態にあり得る。デバイス１００５は、１つまたは複数の基地局１０５とワイヤレスに通信し得る。
【０１５３】
[0163]プロセッサ１０２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、あるいはこれらの任意の組合せ）を含み得る。いくつかのケースでは、プロセッサ１０２０は、メモリコントローラを使用してメモリアレイを動作させるように構成され得る。他のケースでは、メモリコントローラは、プロセッサ１０２０に一体化され得る。プロセッサ１０２０は、様々な機能（例えば、複数のＤＣＩメッセージにわたるＴＰＣコマンド処理をサポートする機能またはタスク）を実行するために、メモリに記憶されたコンピュータ可読命令を実行するように構成され得る。
【０１５４】
[0164]メモリ１０２５は、ランダムアクセスメモリ（ＲＡＭ）および読取専用メモリ（ＲＯＭ）を含み得る。メモリ１０２５は、実行されると、プロセッサに、本明細書で説明された様々な機能を実行させる命令を含むコンピュータ可読で、コンピュータ実行可能なソフトウェア１０３０を記憶し得る。いくつかのケースでは、メモリ１０２５は、とりわけ、周辺コンポーネントまたはデバイスとのインタラクションなどの基本ハードウェアまたはソフトウェア動作を制御し得る基本入力／出力システム（ＢＩＯＳ）を含み得る。
【０１５５】
[0165]ソフトウェア１０３０は、複数のＤＣＩメッセージにわたるＴＰＣコマンド処理をサポートするためのコードを含む、本開示の態様をインプリメントするためのコードを含み得る。ソフトウェア１０３０は、システムメモリまたは他のメモリなどの、非一時的なコンピュータ可読媒体に記憶され得る。いくつかのケースでは、ソフトウェア１０３０は、プロセッサによって直接的に実行可能でない場合があるが、（例えば、コンパイルされ、実行されると）コンピュータに、本明細書で説明される機能を実行させ得る。
【０１５６】
[0166]トランシーバ１０３５は、本明細書で説明されたように、１つまたは複数のアンテナ、ワイヤードリンク、またはワイヤレスリンクを介して、双方向に通信し得る。例えば、トランシーバ１０３５は、ワイヤレストランシーバを表し得、別のワイヤレストランシーバと双方向に通信し得る。トランシーバ１０３５はまた、パケットを変調して、変調されたパケットを送信のためにアンテナに提供することと、アンテナから受信されたパケットを復調することとを行うためのモデムを含み得る。
【０１５７】
[0167]いくつかのケースでは、ワイヤレスデバイスは、単一のアンテナ１０４０を含み得る。しかしながら、いくつかのケースでは、デバイスは、１つより多くのアンテナ１０４０を有し得、それらは、複数のワイヤレス送信を同時並行に（concurrently）送信または受信することが可能であり得る。
【０１５８】
[0168]Ｉ／Ｏコントローラ１０４５は、デバイス１００５のための入力および出力信号を管理し得る。Ｉ／Ｏコントローラ１０４５はまた、デバイス１００５に一体化されていない周辺機器を管理し得る。いくつかのケースでは、Ｉ／Ｏコントローラ１０４５は、外部周辺機器への物理的接続またはポートを表し得る。いくつかのケースでは、Ｉ／Ｏコントローラ１０４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他のケースでは、Ｉ／Ｏコントローラ１０４５は、モデム、キーボード、マウス、タッチスクリーン、または同様のデバイスを表すか、またはそれらとインタラクトし得る。いくつかのケースでは、Ｉ／Ｏコントローラ１０４５は、プロセッサの一部としてインプリメントされ得る。いくつかのケースでは、ユーザは、Ｉ／Ｏコントローラ１０４５を介して、またはＩ／Ｏコントローラ１０４５によって制御されるハードウェアコンポーネントを介して、デバイス１００５とインタラクトし得る。
【０１５９】
[0169]図１１は、本開示の態様による、複数のＤＣＩメッセージにわたるＴＰＣコマンド処理をサポートするワイヤレスデバイス１１０５のブロック図１１００を示す。ワイヤレスデバイス１１０５は、本明細書で説明されたような基地局１０５の態様の例であり得る。ワイヤレスデバイス１１０５は、受信機１１１０、基地局通信マネージャ１１１５、および送信機１１２０を含み得る。ワイヤレスデバイス１１０５はまた、プロセッサを含み得る。これらのコンポーネントの各々は、（例えば、１つまたは複数のバスを介して）互いと通信状態にあり得る。
【０１６０】
[0170]受信機１１１０は、様々な情報チャネル（例えば、制御チャネル、データチャネル、および複数のＤＣＩメッセージにわたるＴＰＣコマンド処理に関連する情報など）に関連付けられた制御情報、ユーザデータ、またはパケットなどの情報を受信し得る。情報は、デバイスの他のコンポーネントへと渡され得る。受信機１１１０は、図１４を参照して説明されるトランシーバ１４３５の態様の例であり得る。受信機１１１０は、単一のアンテナまたはアンテナのセットを利用し得る。
【０１６１】
[0171]基地局通信マネージャ１１１５は、図１４を参照して説明される基地局通信マネージャ１４１５の態様の例であり得る。
【０１６２】
[0172]基地局通信マネージャ１１１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、基地局通信マネージャ１１１５および／またはその様々なサブコンポーネントのうちの少なくともいくつかの機能は、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。基地局通信マネージャ１１１５および／またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、基地局通信マネージャ１１１５および／またはその様々なサブコンポーネントのうちの少なくともいくつかは、本開示の様々な態様による、別個のおよび異なるコンポーネントであり得る。他の例では、基地局通信マネージャ１１１５および／またはその様々なサブコンポーネントのうちの少なくともいくつかは、限定はしないが、本開示の様々な態様に従って、Ｉ／Ｏコンポーネント、トランシーバ、ネットワークサーバ、別のコンピューティングデバイス、本開示で説明される１つまたは複数の他のコンポーネント、あるいはこれらの組合せを含む、１つまたは複数の他のハードウェアコンポーネントと組み合わされ得る。
【０１６３】
[0173]基地局通信マネージャ１１１５は、基地局によって、ＵＥによって送信されるべきＵＣＩの送信電力レベルを調整するための電力調整値を識別し、識別された電力調整値に基づいて、ＵＣＩのためのＴＰＣコマンドのセットを決定し、ＴＰＣコマンドのセットの組合せが、ＵＣＩのための送信電力を調整する電力調整値を示すためのものであり、ＵＥに、決定されたＴＰＣコマンドのセットを含むＤＣＩメッセージのセットを送信し得る。
【０１６４】
[0174]送信機１１２０は、デバイスの他のコンポーネントによって生成された信号を送信し得る。いくつかの例では、送信機１１２０は、トランシーバモジュールにおいて受信機１１１０とコロケートされ得る。例えば、送信機１１２０は、図１４を参照して説明されるトランシーバ１４３５の態様の例であり得る。送信機１１２０は、単一のアンテナまたはアンテナのセットを利用し得る。
【０１６５】
[0175]図１２は、本開示の態様による、複数のＤＣＩメッセージにわたるＴＰＣコマンド処理をサポートするワイヤレスデバイス１２０５のブロック図１２００を示す。ワイヤレスデバイス１２０５は、図１１を参照して説明されたような、ワイヤレスデバイス１１０５または基地局１０５の態様の例であり得る。ワイヤレスデバイス１２０５は、受信機１２１０、基地局通信マネージャ１２１５、および送信機１２２０を含み得る。ワイヤレスデバイス１２０５はまた、プロセッサを含み得る。これらのコンポーネントの各々は、（例えば、１つまたは複数のバスを介して）互いと通信状態にあり得る。
【０１６６】
[0176]受信機１２１０は、様々な情報チャネル（例えば、制御チャネル、データチャネル、および複数のＤＣＩメッセージにわたるＴＰＣコマンド処理に関連する情報など）に関連付けられた制御情報、ユーザデータ、またはパケットなどの情報を受信し得る。情報は、デバイスの他のコンポーネントへと渡され得る。受信機１２１０は、図１４を参照して説明されるトランシーバ１４３５の態様の例であり得る。受信機１２１０は、単一のアンテナまたはアンテナのセットを利用し得る。
【０１６７】
[0177]基地局通信マネージャ１２１５は、図１４を参照して説明される基地局通信マネージャ１４１５の態様の例であり得る。
【０１６８】
[0178]基地局通信マネージャ１２１５はまた、電力レベルマネージャ１２２５、ＴＰＣマネージャ１２３０、およびＤＣＩマネージャ１２３５を含み得る。
【０１６９】
[0179]電力レベルマネージャ１２２５は、基地局によって、ＵＥによって送信されるべきＵＣＩの送信電力レベルを調整するための電力調整値を識別し得る。いくつかのケースでは、電力調整値は、ＴＰＣコマンドのセットについてのＴＰＣ値のセットの合計である。
【０１７０】
[0180]ＴＰＣマネージャ１２３０は、識別された電力調整値に基づいて、ＵＣＩのためのＴＰＣコマンドのセットを決定し得、ＴＰＣコマンドのセットの組合せが、ＵＣＩのための送信電力を調整する電力調整値を示すためのものである。
【０１７１】
[0181]ＤＣＩマネージャ１２３５は、ＵＥに、決定されたＴＰＣコマンドのセットを含むＤＣＩメッセージのセットを送信し得る。いくつかのケースでは、ＵＥに、決定されたＤＣＩメッセージのセットを送信することは、アップリンクデータチャネルのためのＴＰＣコマンドを含む少なくとも１つのアップリンクＤＣＩメッセージを送信することをさらに含み、ＵＣＩのためのＴＰＣコマンドのセットは、アップリンクデータチャネルのためのＴＰＣコマンドに基づいて決定される。
【０１７２】
[0182]送信機１２２０は、デバイスの他のコンポーネントによって生成された信号を送信し得る。いくつかの例では、送信機１２２０は、トランシーバモジュールにおいて受信機１２１０とコロケートされ得る。例えば、送信機１２２０は、図１４を参照して説明されるトランシーバ１４３５の態様の例であり得る。送信機１２２０は、単一のアンテナまたはアンテナのセットを利用し得る。
【０１７３】
[0183]図１３は、本開示の態様による、複数のＤＣＩメッセージにわたるＴＰＣコマンド処理をサポートする基地局通信マネージャ１３１５のブロック図１３００を示す。基地局通信マネージャ１３１５は、図１１、図１２、および図１４を参照して説明される基地局通信マネージャ１４１５の態様の例であり得る。基地局通信マネージャ１３１５は、電力レベルマネージャ１３２０、ＴＰＣマネージャ１３２５、ＤＣＩマネージャ１３３０、ＴＰＣマネージャ１３３５、ＵＣＩ属性マネージャ１３４０、およびアップリンク送信マネージャ１３４５を含み得る。これらのモジュールの各々は、（例えば、１つまたは複数のバスを介して）互いと直接的または間接的に通信し得る。
【０１７４】
[0184]電力レベルマネージャ１３２０は、基地局によって、ＵＥによって送信されるべきＵＣＩの送信電力レベルを調整するための電力調整値を識別し得る。いくつかのケースでは、電力調整値は、ＴＰＣコマンドのセットについてのＴＰＣ値のセットの合計である。
【０１７５】
[0185]ＴＰＣマネージャ１３２５は、識別された電力調整値に基づいて、ＵＣＩのためのＴＰＣコマンドのセットを決定し得、ＴＰＣコマンドのセットの組合せが、ＵＣＩのための送信電力を調整する電力調整値を示すためのものである。
【０１７６】
[0186]ＤＣＩマネージャ１３３０は、ＵＥに、決定されたＴＰＣコマンドのセットを含むＤＣＩメッセージのセットを送信し得る。いくつかのケースでは、ＵＥに、決定されたＤＣＩメッセージのセットを送信することは、アップリンクデータチャネルのためのＴＰＣコマンドを含む少なくとも１つのアップリンクＤＣＩメッセージを送信することをさらに含み、ここで、ＵＣＩのためのＴＰＣコマンドのセットは、アップリンクデータチャネルのためのＴＰＣコマンドに基づいて決定され得る。
【０１７７】
[0187]ＴＰＣマネージャ１３３５は、識別に基づいて、識別された第１のＴＰＣコマンドについてのＴＰＣ値になるように電力調整値を割り当て得る。いくつかのケースでは、ＴＰＣコマンドのセットを決定することは、ＵＥが、電力調整値として、ＴＰＣコマンドのセットのうちの第１のＴＰＣコマンドを使用すべきであることを識別することをさらに含む。
【０１７８】
[0188]いくつかのケースでは、ＵＣＩ属性マネージャ１３４０は、ＤＣＩメッセージのセットに基づいて、アップリンク送信属性を決定し得る。いくつかのケースでは、ＤＣＩメッセージのセットは、ＵＣＩのための少なくとも１つの属性の値における変更を示し、ここで、ＴＰＣコマンドのセットを決定することは、少なくとも１つの属性の値における変更に基づく。いくつかのケースでは、ＵＣＩの少なくとも１つの属性は、ＵＣＩペイロードサイズ、ＰＵＣＣＨリソース割当て、ＰＵＣＣＨフォーマット、ＰＵＣＣＨリソースプール、またはこれらの組合せを含む。
【０１７９】
[0189]アップリンク送信マネージャ１３４５は、ＵＥから、送信電力に従って送信されたＵＣＩを受信し得る。いくつかのケースでは、ＵＣＩは、アップリンク制御チャネルまたはアップリンクデータチャネル上の確認応答を含む。
【０１８０】
[0190]図１４は、本開示の態様による、複数のＤＣＩメッセージにわたるＴＰＣコマンド処理をサポートするデバイス１４０５を含むシステム１４００の図を示す。デバイス１４０５は、例えば、図１を参照して、本明細書で説明されたような基地局１０５のコンポーネントを含むか、またはその例であり得る。デバイス１４０５は、基地局通信マネージャ１４１５、プロセッサ１４２０、メモリ１４２５、ソフトウェア１４３０、トランシーバ１４３５、アンテナ１４４０、ネットワーク通信マネージャ１４４５、および局間通信マネージャ１４５０を含む、通信を送信および受信するためのコンポーネントを含む双方向音声およびデータ通信のためのコンポーネントを含み得る。これらのコンポーネントは、１つまたは複数のバス（例えば、バス１４１０）を介して電子通信状態にあり得る。デバイス１４０５は、１つまたは複数のＵＥ１１５とワイヤレスに通信し得る。
【０１８１】
[0191]プロセッサ１４２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、あるいはこれらの任意の組合せ）を含み得る。いくつかのケースでは、プロセッサ１４２０は、メモリコントローラを使用してメモリアレイを動作させるように構成され得る。他のケースでは、メモリコントローラは、プロセッサ１４２０に一体化され得る。プロセッサ１４２０は、様々な機能（例えば、複数のＤＣＩメッセージにわたるＴＰＣコマンド処理をサポートする機能またはタスク）を実行するために、メモリに記憶されたコンピュータ可読命令を実行するように構成され得る。
【０１８２】
[0192]メモリ１４２５は、ＲＡＭおよびＲＯＭを含み得る。メモリ１４２５は、実行されると、プロセッサに、本明細書で説明された様々な機能を実行させる命令を含むコンピュータ可読で、コンピュータ実行可能なソフトウェア１４３０を記憶し得る。いくつかのケースでは、メモリ１４２５は、とりわけ、周辺コンポーネントまたはデバイスとのインタラクションなどの基本ハードウェアまたはソフトウェア動作を制御し得るＢＩＯＳを含み得る。
【０１８３】
[0193]ソフトウェア１４３０は、複数のＤＣＩメッセージにわたるＴＰＣコマンド処理をサポートするためのコードを含む、本開示の態様をインプリメントするためのコードを含み得る。ソフトウェア１４３０は、システムメモリまたは他のメモリなどの、非一時的なコンピュータ可読媒体に記憶され得る。いくつかのケースでは、ソフトウェア１４３０は、プロセッサによって直接的に実行可能でない場合があるが、（例えば、コンパイルされ、実行されると）コンピュータに、本明細書で説明された機能を実行させ得る。
【０１８４】
[0194]トランシーバ１４３５は、本明細書で説明されたように、１つまたは複数のアンテナ、ワイヤードリンク、またはワイヤレスリンクを介して、双方向に通信し得る。例えば、トランシーバ１４３５は、ワイヤレストランシーバを表し得、別のワイヤレストランシーバと双方向に通信し得る。トランシーバ１４３５はまた、パケットを変調して、変調されたパケットを送信のためにアンテナに提供することと、アンテナから受信されたパケットを復調することとを行うためのモデムを含み得る。
【０１８５】
[0195]いくつかのケースでは、ワイヤレスデバイスは、単一のアンテナ１４４０を含み得る。しかしながら、いくつかのケースでは、デバイスは、１つより多くのアンテナ１４４０を有し得、それらは、複数のワイヤレス送信を同時並行に送信または受信することが可能であり得る。
【０１８６】
[0196]ネットワーク通信マネージャ１４４５は、（例えば、１つまたは複数のワイヤードバックホールリンクを介して）コアネットワークとの通信を管理し得る。例えば、ネットワーク通信マネージャ１４４５は、１つまたは複数のＵＥ１１５などのクライアントデバイスのためのデータ通信の転送を管理し得る。
【０１８７】
[0197]局間通信マネージャ１４５０は、他の基地局１０５との通信を管理し得、他の基地局１０５に関連付けられたＵＥ１１５との通信を制御するためのコントローラまたはスケジューラを含み得る。例えば、局間通信マネージャ１４５０は、ビームフォーミングまたはジョイント送信などの様々な干渉緩和技法のために、ＵＥ１１５への送信についてのスケジューリングを調整し得る。いくつかの例では、局間通信マネージャ１４５０は、基地局１０５間の通信を提供するために、ロングタームエボリューション（ＬＴＥ）／ＬＴＥ−Ａワイヤレス通信ネットワーク技術内のＸ２インターフェースを提供し得る。
【０１８８】
[0198]図１５は、本開示の態様による、複数のＤＣＩメッセージにわたるＴＰＣコマンド処理のための方法１５００を例示するフローチャートを示す。方法１５００の動作は、本明細書で説明されたようなＵＥ１１５またはそのコンポーネントによってインプリメントされ得る。例えば、方法１５００の動作は、図７〜図１０を参照して説明されたようなＵＥ通信マネージャによって実行され得る。いくつかの例では、ＵＥ１１５は、本明細書で説明される機能を実行するために、デバイスの機能的な要素を制御するためのコードのセットを実行し得る。追加または代替として、ＵＥ１１５は、専用ハードウェアを使用して、本明細書で説明される機能の態様を実行し得る。
【０１８９】
[0199]１５０５において、ＵＥ１１５は、基地局から、アップリンク送信（例えば、ＵＣＩ、アップリンクデータなど）のためのいくつかのＴＰＣコマンドを含むいくつかのＤＣＩメッセージを受信し得る。１５０５の動作は、本明細書で説明された方法に従って実行され得る。ある特定の例では、１５０５の動作の態様は、図７〜図１０を参照して説明されたようなＤＣＩマネージャによって実行され得る。
【０１９０】
[0200]１５１０において、ＵＥ１１５は、いくつかのＴＰＣコマンドの組合せに基づいて、アップリンク送信のための電力調整値を決定し得る。１５１０の動作は、本明細書で説明された方法に従って実行され得る。ある特定の例では、１５１０の動作の態様は、図７〜図１０を参照して説明されたようなＴＰＣマネージャによって実行され得る。
【０１９１】
[0201]１５１５において、ＵＥ１１５は、決定された電力調整値に基づいて、送信電力レベルを調整し得る。１５１５の動作は、本明細書で説明された方法に従って実行され得る。ある特定の例では、１５１５の動作の態様は、図７〜図１０を参照して説明されたような電力レベルマネージャによって実行され得る。
【０１９２】
[0202]１５２０において、ＵＥ１１５は、調整された送信電力レベルで、基地局にアップリンク送信を送信し得る。１５２０の動作は、本明細書で説明された方法に従って実行され得る。ある特定の例では、１５２０の動作の態様は、図７〜図１０を参照して説明されたようなアップリンク送信マネージャによって実行され得る。
【０１９３】
[0203]図１６は、本開示の態様による、複数のＤＣＩメッセージにわたるＴＰＣコマンド処理のための方法１６００を例示するフローチャートを示す。方法１６００の動作は、本明細書で説明されたような基地局１０５またはそのコンポーネントによってインプリメントされ得る。例えば、方法１６００の動作は、図１１〜図１４を参照して説明されたような基地局通信マネージャによって実行され得る。いくつかの例では、基地局１０５は、本明細書で説明される機能を実行するために、デバイスの機能的な要素を制御するためのコードのセットを実行し得る。追加または代替として、基地局１０５は、専用ハードウェアを使用して、本明細書で説明される機能の態様を実行し得る。
【０１９４】
[0204]１６０５において、基地局１０５は、基地局によって、ＵＥによって送信されるべきアップリンク送信（例えば、ＵＣＩ、アップリンクデータなど）の送信電力レベルを調整するための電力調整値を識別し得る。１６０５の動作は、本明細書で説明された方法に従って実行され得る。ある特定の例では、１６０５の動作の態様は、図１１〜図１４を参照して説明されたような電力レベルマネージャによって実行され得る。
【０１９５】
[0205]１６１０において、基地局１０５は、識別された電力調整値に基づいて、アップリンク送信のためのいくつかのＴＰＣコマンドを決定し得、いくつかのＴＰＣコマンドの組合せが、アップリンク送信のための送信電力を調整する電力調整値を示すためのものである。１６１０の動作は、本明細書で説明された方法に従って実行され得る。ある特定の例では、１６１０の動作の態様は、図１１〜図１４を参照して説明されたようなＴＰＣマネージャによって実行され得る。
【０１９６】
[0206]１６１５において、基地局１０５は、ＵＥに、決定されたいくつかのＴＰＣコマンドを含むいくつかのＤＣＩメッセージを送信し得る。１６１５の動作は、本明細書で説明された方法に従って実行され得る。ある特定の例では、１６１５の動作の態様は、図１１〜図１４を参照して説明されたようなＤＣＩマネージャによって実行され得る。
【０１９７】
[0207]図１７は、本開示の態様による、複数のＤＣＩメッセージにわたるＴＰＣコマンド処理のための方法１７００を例示するフローチャートを示す。方法１７００の動作は、本明細書で説明されたようなＵＥ１１５またはそのコンポーネントによってインプリメントされ得る。例えば、方法１７００の動作は、図７〜図１０を参照して説明されたようなＵＥ通信マネージャによって実行され得る。いくつかの例では、ＵＥ１１５は、本明細書で説明される機能を実行するために、デバイスの機能的な要素を制御するためのコードのセットを実行し得る。追加または代替として、ＵＥ１１５は、専用ハードウェアを使用して、本明細書で説明される機能の態様を実行し得る。
【０１９８】
[0208]１７０５において、ＵＥ１１５は、第１のアップリンク許可に従って、基地局に第１の送信電力レベルで送信されるようにスケジュールされた第１のアップリンク通信を識別し得る。１７０５の動作は、本明細書で説明された方法に従って実行され得る。ある特定の例では、１７０５の動作の態様は、図７〜図１０を参照して説明されたような送信マネージャによって実行され得る。
【０１９９】
[0209]１７１０において、ＵＥ１１５は、基地局から、第２のアップリンク通信のための第２のアップリンク許可を受信し得、第２のアップリンク通信は、第１のアップリンク通信よりも高い優先度を有する。１７１０の動作は、本明細書で説明された方法に従って実行され得る。ある特定の例では、１７１０の動作の態様は、図７〜図１０を参照して説明されたような許可マネージャによって実行され得る。
【０２００】
[0210]１７１５において、ＵＥ１１５は、第２のアップリンク許可を受信することに基づいて、第１の送信電力で送信されるようにスケジュールされた第１のアップリンク通信の第１の部分を送信し、第１のアップリンク通信の第２の部分の送信を遅延させることを決定し得る。１７１５の動作は、本明細書で説明された方法に従って実行され得る。ある特定の例では、１７１５の動作の態様は、図７〜図１０を参照して説明されたような送信マネージャによって実行され得る。
【０２０１】
[0211]１７２０において、ＵＥ１１５は、第１のアップリンク通信の第１の部分を送信することを決定することに基づいて、第１のアップリンク通信の第１の部分のための第１の送信電力レベルを、第２の送信電力レベルに増大させるかどうかを決定し得る。１７２０の動作は、本明細書で説明された方法に従って実行され得る。ある特定の例では、１７２０の動作の態様は、図７〜図１０を参照して説明されたような電力レベルマネージャによって実行され得る。
【０２０２】
[0212]本明細書で説明された方法は、可能なインプリメンテーションを説明しており、動作およびステップは、再構成または他の方法で修正され得、他のインプリメンテーションが可能であることに留意されたい。さらに、これら方法のうちの２つ以上からの態様が組み合わされ得る。
【０２０３】
[0213]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムのために使用され得る。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれ得る。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））などの無線技術をインプリメントし得る。
【０２０４】
[0214]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭなどのような無線技術をインプリメントし得る。ＵＴＲＡおよびＥ−ＵＴＲＡは、ユニバーサルモバイルテレコミュニケーションズシステム（ＵＭＴＳ）の一部である。ＬＴＥ、ＬＴＥ−Ａ、およびＬＴＥ−Ａ  Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ  Ｐｒｏ、ＮＲ、およびＧＳＭは、「第３世代パートナーシッププロジェクト」（３ＧＰＰ（登録商標））という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明された技法は、本明細書で述べられたシステムおよび無線技術、ならびに他のシステムおよび無線技術のために使用され得る。ＬＴＥ、ＬＴＥ−Ａ、ＬＴＥ−Ａ  Ｐｒｏ、またはＮＲシステムの態様が、例を目的として説明され得、ＬＴＥ、ＬＴＥ−Ａ、ＬＴＥ−Ａ  Ｐｒｏ、またはＮＲの専門用語が、説明の大部分において使用され得る一方で、本明細書で説明された技法は、ＬＴＥ、ＬＴＥ−Ａ、ＬＴＥ−Ａ  Ｐｒｏ、またはＮＲアプリケーションを超えて適用可能である。
【０２０５】
[0215]マクロセルは、一般に、比較的大きい地理的エリア（例えば、半径数キロメートル）をカバーし、ネットワークプロバイダにサービス加入しているＵＥ１１５による無制限のアクセスを可能にし得る。スモールセルは、マクロセルと比較して、より低電力の基地局１０５に関連付けられ得、スモールセルは、マクロセルと同じまたは異なる（例えば、ライセンス、アンライセンスなどの）周波数帯域で動作し得る。スモールセルは、様々な例に従って、ピコセル、フェムトセル、およびマイクロセルを含み得る。ピコセルは、例えば、小さい地理的エリアをカバーし得、ネットワークプロバイダにサービス加入しているＵＥ１１５による無制限のアクセスを可能にし得る。フェムトセルもまた、小さい地理的エリア（例えば、自宅）をカバーし得、フェムトセルとのアソシエーションを有するＵＥ１１５（例えば、限定加入者グループ（ＣＳＧ）中のＵＥ１１５、自宅内のユーザのためのＵＥ１１５など）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセルをサポートし得、また、１つまたは複数のコンポーネントキャリアを使用して通信をサポートし得る。
【０２０６】
[0216]本明細書で説明されたワイヤレス通信システム１００または複数のシステムは、同期または非同期動作をサポートし得る。同期動作の場合、複数の基地局１０５は、同様のフレームタイミングを有し得、異なる基地局１０５からの送信は、ほぼ時間的に揃えられ得る。非同期動作の場合、複数の基地局１０５は、異なるフレームタイミングを有し得、異なる基地局１０５からの送信は、時間的に揃えられていない場合がある。本明細書で説明された技法は、同期または非同期動作のいずれかのために使用され得る。
【０２０７】
[0217]本明細書で説明された情報および信号は、様々な異なる技術および技法のうちの任意のものを使用して表され得る。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【０２０８】
[0218]本明細書の開示に関連して説明された、様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス（ＰＬＤ）、ディスクリートゲートまたはトランジスタロジック、ディスクリートハードウェアコンポーネント、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他任意のそのような構成）としてインプリメントされ得る。
【０２０９】
[0219]本明細書で説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ可読媒体上で、１つまたは複数の命令またはコードとして記憶または送信され得る。他の例およびインプリメンテーションは、添付の特許請求の範囲および本開示の範囲内にある。例えば、ソフトウェアの性質により、本明細書で説明された機能は、プロセッサ、ハードウェア、ファームウェア、ハードワイヤリング、またはこれらの任意の組合せによって実行されるソフトウェアを使用してインプリメントされ得る。機能をインプリメントする特徴はまた、様々な位置に物理的に位置し得、機能の部分が異なる物理的なロケーションにおいてインプリメントされるように分散されていることを含む。
【０２１０】
[0220]コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされ得る任意の利用可能な媒体であり得る。限定ではなく例として、非一時的なコンピュータ可読媒体は、ランダムアクセスメモリ（ＲＡＭ）、読取専用メモリ（ＲＯＭ）、電気的消去可能プログラマブル読取専用メモリ（ＥＥＰＲＯＭ（登録商標））、フラッシュメモリ、コンパクトディスク（ＣＤ）ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の非一時的な媒体を含み得る。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれる。
【０２１１】
[0221]特許請求の範囲を含め、本明細書で使用される場合、アイテムの列挙（例えば、「〜のうちの少なくとも１つ」または「〜のうちの１つまたは複数」といった表現で始まるアイテムの列挙）中で使用される「または（or）」は、例えば、Ａ、Ｂ、またはＣのうちの少なくとも１つという列挙が、ＡまたはＢまたはＣまたはＡＢまたはＡＣまたはＢＣまたはＡＢＣ（すなわち、ＡおよびＢおよびＣ）を意味するような、包含的な列挙を示す。また、本明細書で使用される場合、「〜に基づく」という表現は、条件の閉集合への参照として解釈されないものとする。例えば、「条件Ａに基づく」と説明された例示的なステップは、本開示の範囲から逸脱することなく、条件Ａと条件Ｂの両方に基づき得る。換言すれば、本明細書で使用される場合、「〜に基づく」という表現は、「〜に少なくとも部分的に基づく」という表現と同様に解釈されるものとする。
【０２１２】
[0222]添付の図面では、同様のコンポーネントまたは特徴は、同じ参照ラベルを有し得る。さらに、同じタイプの様々なコンポーネントは、参照ラベルの後に、ダッシュと、同様のコンポーネント同士を区別する第２のラベルとを続けることによって区別され得る。第１の参照ラベルのみが本明細書において使用される場合、その説明は、第２の参照ラベル、または他の後続の参照ラベルにかかわらず、同じ第１の参照ラベルを有する同様のコンポーネントのうちの任意の１つに適用可能である。
【０２１３】
[0223]添付の図面に関連して、本明細書に示された説明は、例となる構成を説明しており、インプリメントされ得るまたは特許請求の範囲内にある全ての例を表すものではない。本明細書で使用される「例示的（exemplary）」という用語は、「好ましい」または「他の例よりも有利である」ということではなく、「例、事例、または例示を提供する」を意味する。詳細な説明は、説明された技法の理解を提供することを目的とした特定の詳細を含む。しかしながら、これらの技法は、これらの特定の詳細なしで実施され得る。いくつかの事例では、周知の構造およびデバイスは、説明された例の概念を曖昧にすることを避けるために、ブロック図形式で示される。
【０２１４】
[0224]本明細書の説明は、当業者が本開示を製造または使用することを可能にするために提供された。本開示への様々な修正は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
【図１】
2021511739.tif 000003
【図２】
2021511739.tif 000004
【図３】
2021511739.tif 000005
【図４Ａ】
2021511739.tif 000006
【図４Ｂ】
2021511739.tif 000007
【図５】
2021511739.tif 000008
【図６】
2021511739.tif 000009
【図７】
2021511739.tif 000010
【図８】
2021511739.tif 000011
【図９】
2021511739.tif 000012
【図１０】
2021511739.tif 000013
【図１１】
2021511739.tif 000014
【図１２】
2021511739.tif 000015
【図１３】
2021511739.tif 000016
【図１４】
2021511739.tif 000017
【図１５】
2021511739.tif 000018
【図１６】
2021511739.tif 000019
【図１７】
2021511739.tif 000020
【国際調査報告】
2021511739.tif 000021
2021511739.tif 000022
2021511739.tif 000023